(57)【要約】【課題】  異なる方向から観測される複数の画像を同一の表示パネル上に同時に表示するための表示装置と画質調整方法に関し、同一の表示パネル上に同時に表示される複数の画像に対して、個々に独立した画質の調整が行えるようにすることを目的とする。【解決手段】  複数の視方向に対する個別の画像を同一画面上に表示する表示部（４５）と、個別の画像にそれぞれ対応する複数の画像の画質を独立して調整する画質調整部（４１、４２、５１）とを備える。好ましくは、画質調整部は、複数の画像に対して個別に画質を調整する複数の画質調整部を有する。【選択図】      図１０
2007041490.tif 000002
【特許請求の範囲】
【請求項１】
複数の視方向に対する個別の画像を同一画面上に表示する表示部と、
前記個別の画像にそれぞれ対応する複数の画像の画質を独立して調整する画質調整部とを備えることを特徴とする表示装置。
【請求項２】
前記画質調整部は、前記複数の画像に対して個別に画質を調整する複数の画質調整部を有することを特徴とする、請求項１に記載の表示装置。
【請求項３】
前記複数の画像のサイズを独立して調整する画像サイズ調整部を備えることを特徴とする、請求項１または２に記載の表示装置。
【請求項４】
前記画質調整部において設定された設定値を表示する設定値表示部を備えることを特徴とする、請求項１から３のいずれか一項に記載の表示装置。
【請求項５】
任意の調整値の設定を指示する入力部を備えることを特徴とする、請求項１から４のいずれか一項に記載の表示装置。
【請求項６】
前記画質調整部における画質調整設定値を記憶する記憶部を備えることを特徴とする、請求項１から５のいずれか一項に記載の表示装置。
【請求項７】
１つの視方向に対する画像に対する画質調整設定値を他の視方向に対する画像に対する画質調整設定値として設定可能であることを特徴とする、請求項１から６のいずれか一項に記載の表示装置。
【請求項８】
少なくとも１つの画質調整設定値登録操作部に対応して画質調整状態を示す画質調整設定値を記憶するプリセット保持部と、
前記画質調整設定値登録操作部の操作を検出し、調整対象画像における画質を、前記プリセット保持部に記憶された対応する前記画質調整設定値により調整するプリセット画質調整部とを備えることを特徴とする、請求項１から７のいずれか一項に記載の表示装置。
【請求項９】
前記画質調整設定値登録操作部の登録操作を検出し、登録操作時点における登録対象画像に対する前記画質調整設定値を前記プリセット保持部に記憶するプリセットデータ登録部を備えることを特徴とする、請求項８に記載の表示装置。
【請求項１０】
調整モードの切り替えを指示するモード切替操作部と、
前記モード切替操作部の操作を検出し、前記複数の画像の画質を独立して別個に調整する独立モードと、前記複数の画像の画質を共通に調整する共通モードとを切り替えるモード切替部とを備えることを特徴とする、請求項１から９のいずれか一項に記載の表示装置。
【請求項１１】
周囲環境を検出する共通周囲環境センサと、
前記共通周囲環境センサの出力に応じて、前記複数の画像の画質を共通に調整する対周囲環境共通補償部とを備えることを特徴とする、請求項１から１０のいずれか一項に記載の表示装置。
【請求項１２】
前記複数の画像の周囲環境を個別に検出する複数の独立周囲環境センサと、
前記複数の独立周囲環境センサの出力に応じて、対応する画像の画質を調整する対周囲環境補償部とを備えることを特徴とする、請求項１から１１のいずれか一項に記載の表示装置。
【請求項１３】
画質調整を行う場合、画質調整対象の画像が表示される前記表示部の表示領域に画質調整用画像を表示する調整画像表示部を備えることを特徴とする、請求項１から１２のいずれか一項に記載の表示装置。
【請求項１４】
画質調整を行う場合、画質調整対象の画像以外の画像が表示される前記表示部の表示領域に画質調整用画像を表示する調整画像表示部を備えることを特徴とする、請求項１から１２のいずれか一項に記載の表示装置。
【請求項１５】
画質調整を行う場合、前記画質調整用画像として画質調整前の画質調整状態の画像を表示すると共に画質調整中の画質調整状態の画像を表示することを特徴とする、請求項１３に記載の表示装置。
【請求項１６】
画質調整を行う場合、前記画質調整用画像として画質調整対象の画像以外の画像の画質調整状態で画質調整された画像を表示すると共に画質調整中の画質調整状態の画像を表示することを特徴とする、請求項１３に記載の表示装置。
【請求項１７】
画質調整設定値を記憶するプリセット保持部を有し、
前記画質調整用画像が、前記プリセット保持部に記憶された少なくとも１つの画質調整設定値で画質調整がなされた画像であることを特徴とする、請求項１３に記載の表示装置。
【請求項１８】
前記画質調整用画像と、前記画質調整中の画像とが同一内容の画像であることを特徴とする、請求項１５から１７のいずれか一項に記載の表示装置。
【請求項１９】
前記画質調整用画像が、三原色の各色で描画された画質調整用図形を含む画像であることを特徴とする、請求項１３に記載の表示装置。
【請求項２０】
前記画像の視方向を制御する液晶シャッタを有し、
液晶シャッタの透過率を制御することによって画質調整を行うことを特徴とする、請求項１から１９のいずれか一項に記載の表示装置。
【請求項２１】
前記複数の画像の初期画質調整設定値を記憶する初期画質調整設定値記憶部を有し、
前記画質調整部は、前記表示装置の起動時、または複数の視方向に対する個別の画像表示の起動時に、前記初期画質調整設定値記憶部に記憶されている初期画質調整設定値により前記複数の画像の画質調整を行うことを特徴とする、請求項１から２０のいずれか一項に記載の表示装置。
【請求項２２】
前記初期画質調整設定値は、前記表示装置の電源オフ時、または複数の視方向に対する個別の画像表示の終了時の画質調整値であることを特徴とする、請求項２１に記載の表示装置。
【請求項２３】
前記複数の画像の画質調整設定値と該画質調整設定値による調整頻度を記憶する調整頻度記憶部を有し、
前記画質調整部は、前記表示装置の起動時、または複数の視方向に対する個別の画像表示の起動時に、前記調整頻度記憶部に記憶されている調整頻度に基づいて前記複数の画像の画質調整を行うことを特徴とする、請求項１から２０のいずれか一項に記載の表示装置。
【請求項２４】
周囲環境を検出する共通周囲環境センサを備え、
前記画質調整部は、前記表示装置の起動時、または複数の視方向に対する個別の画像表示の起動時に、前記共通周囲環境センサの出力に基づいて、画質調整を行うことを特徴とする、請求項２１から２３のいずれか一項に記載の表示装置。
【請求項２５】
複数の視方向に対する個別の画像を同一画面上に表示する表示部を有する表示装置の画質調整方法において、
前記個別の画像にそれぞれ対応する複数の画像の画質を独立して調整する画質調整処理を有することを特徴とする表示装置の画質調整方法。
【請求項２６】
複数の視方向に対する個別の画像を同一画面上に表示する表示部を有する表示装置の画質調整方法において、
前記複数の画像の画質調整操作に応答して、画質調整設定値を記憶する画質調整設定値記憶部の画質調整設定値を書き替える処理と、
画質調整設定値記憶部に記憶されている画質調整設定値に基づいて画質調整を行う画質調整処理とを有することを特徴とする表示装置の画質調整方法。
【請求項２７】
複数の視方向に対する個別の画像を同一画面上に表示する表示部を有する表示装置の画質調整を行う画質調整装置において、
前記個別の画像にそれぞれ対応する複数の画像の画質を独立して調整する画質調整部を備えることを特徴とする画質調整装置。
【発明の詳細な説明】
【技術分野】
【０００１】
本発明は、複数の視方向に対する個別の画像を同一画面上に表示することが可能な表示装置、いわゆるマルチビュー表示装置に関する。このマルチビュー表示装置では、単一の画面で複数の利用者の各々に対して独立した異なる情報を実質的に同時に提供することができるようになっている。また一方で、本発明は、複数の視方向に対する個別の画像を同一画面上に表示することが可能な表示装置における画質調整方法に関する。さらに、本発明は、複数の視方向に対する個別の画像を同一画面上に表示することが可能な表示装置、いわゆるマルチビュー表示装置の画質調整を行う画質調整装置に関する。
【背景技術】
【０００２】
左右の観察者に対して別個の画像を同一の表示パネルを介して提供することが可能な表示装置、いわゆるマルチビュー表示装置が実現されている。下記の特許文献１に、このような装置の一例が記載されている。この装置では、３次元画像を見るために必要なメガネを用いることなく、表示パネルの左側および右側から別個の画像を観察することが可能である。この表示パネルの利用方法として、複数の利用者（ユーザ）に異なる画像を同時に提供する利用方法も可能である。
【０００３】
また一方で、特許文献２および特許文献３は、１台の液晶ディスプレイ（ＬＣＤ）で２画面を同時に表示することができる表示装置、例えば、運転席と助手席とからそれぞれ異なる画面を見ることができる表示装置を開示している。また一方で、特許文献４および特許文献５は、２種類の画像を、同時に、同一画面に表示することができる２画面表示装置を開示している。
【０００４】
典型的には、特許文献６および特許文献７に開示されているような視差バリアを備えた液晶パネル等により表示部を構成することによって、この表示部に対して左側（例えば、助手席の側）に位置する観察者（利用者）には、第１の表示画像に対応する画素のみが見え、第２の表示画像は上記視差バリアにより遮られて実質的に見えないようになる。また一方で、表示部に対して右側（例えば、運転席の側）に位置する観察者（利用者または運転者）には、第２の表示画像に対応する画素のみが見え、第１の表示画像は上記視差バリアにより遮られて実質的に見えないようになる。これによって、運転席と助手席とからそれぞれ異なる画面を見ることができる表示装置が実現されるようになる。
【０００５】
上記のような従来の表示装置、いわゆるマルチビュー表示装置を車両内に取り付けた場合、運転席の運転者等に対してはこの表示装置の表示パネル上にナビゲーション情報等を表示させ、助手席に座った人間等に対しては表示パネル上にテレビ画像あるいはＤＶＤ（Digital Video Disk：ディジタル・ビデオ・ディスク）画像等を表示させることができる。このため、運転席の運転者は運転に専念することができ、助手席の人間は退屈することが無いので、車載用の表示装置として好ましいものとなる。
【０００６】
【特許文献１】特開２００４−２０６０８９号公報
【特許文献２】特開平６−１８６５２６号公報
【特許文献３】特開２０００−１３７４４３号公報
【特許文献４】特開平１１−３３１８７６号公報
【特許文献５】特開平９−４６６２２号公報
【特許文献６】特開平１０−１２３４６１号公報
【特許文献７】特開平１１−８４１３１号公報
【発明の開示】
【発明が解決しようとする課題】
【０００７】
マルチビュー表示装置では、前述したように、異なった利用者が異なった画像を見るのが一般的な使用方法である。したがって、各画像における色調等の画質調整値の適切な値は、それぞれに異なることとなる。つまり、利用者は、自分自身が見る画像の画質を自らの好みに応じて任意に設定することを望んでいる。ところが、従来の画質調整回路は表示パネル全体の色調等の画質を調整するものであり、この画質を調整するための各種の表示設定（ブライトネス（輝度）、コントラスト、シャープネス（鮮鋭度）、色調（色合い）等）を１つの表示パネルに対して１つしか行うことができなかった。この結果、例えば運転席側と助手席側とで別個に観察される画像に対して、それぞれに最適なあるいは好みの表示画質の設定を行うことができなかった。
【０００８】
例えば、太陽光の入射方向によって画面のまぶしさが座席により異なるが、従来のマルチビュー表示装置では、表示パネル全体の画質の調整しかできず、例えば運転席側の画像の画質がちょうど良い画質であっても、助手席側の画像では明るすぎる等の問題が発生していた。
【課題を解決するための手段】
【０００９】
上記問題点を解決するために、本発明の１つの態様に係る表示装置は、複数の視方向に対する個別の画像を同一画面上に表示する表示部と、上記個別の画像にそれぞれ対応する複数の画像の画質を独立して調整する画質調整部とを備えるように構成される。
【００１０】
好ましくは、上記画質調整部は、上記複数の画像に対して個別に画質を調整する複数の画質調整部を有する。
【００１１】
好ましくは、本発明の表示装置は、上記複数の画像のサイズを独立して調整する画像サイズ調整部を備える。
【００１２】
好ましくは、本発明の表示装置は、上記画質調整部において設定された設定値を表示する設定値表示部を備える。
【００１３】
好ましくは、本発明の表示装置は、任意の調整値の設定を指示する入力部を備える。
【００１４】
好ましくは、本発明の表示装置は、上記画質調整部における画質調整設定値を記憶する記憶部を備える。
【００１５】
好ましくは、本発明の表示装置において、１つの視方向に対する画像に対する画質調整設定値を他の視方向に対する画像に対する画質調整設定値として設定可能である。
【００１６】
好ましくは、本発明の表示装置は、少なくとも１つの画質調整設定値登録操作部に対応して画質調整状態を示す画質調整設定値を記憶するプリセット保持部と、上記画質調整設定値登録操作部の操作を検出し、調整対象画像における画質を、上記プリセット保持部に記憶された対応する上記画質調整設定値により調整するプリセット画質調整部とを備える。
【００１７】
好ましくは、本発明の表示装置は、上記画質調整設定値登録操作部の登録操作を検出し、登録操作時点における登録対象画像に対する上記画質調整設定値を上記プリセット保持部に記憶するプリセットデータ登録部を備える。
【００１８】
好ましくは、本発明の表示装置は、調整モードの切り替えを指示するモード切替操作部と、上記モード切替操作部の操作を検出し、上記複数の画像の画質を独立して別個に調整する独立モードと、上記複数の画像の画質を共通に調整する共通モードとを切り替えるモード切替部とを備える。
【００１９】
好ましくは、本発明の表示装置は、周囲環境を検出する共通周囲環境センサと、上記共通周囲環境センサの出力に応じて、上記複数の画像の画質を共通に調整する対周囲環境共通補償部とを備える。
【００２０】
好ましくは、本発明の表示装置は、上記複数の画像の周囲環境を個別に検出する複数の独立周囲環境センサと、上記複数の独立周囲環境センサの出力に応じて、対応する画像の画質を調整する対周囲環境補償部とを備える。
【００２１】
好ましくは、本発明の表示装置は、画質調整を行う場合、画質調整対象の画像が表示される上記表示部の表示領域に画質調整用画像を表示する調整画像表示部を備える。
【００２２】
好ましくは、本発明の表示装置は、画質調整を行う場合、画質調整対象の画像以外の画像が表示される上記表示部の表示領域に画質調整用画像を表示する調整画像表示部を備える。
【００２３】
好ましくは、本発明の表示装置において、画質調整を行う場合、上記画質調整用画像として画質調整前の画質調整状態の画像を表示すると共に画質調整中の画質調整状態の画像を表示するようになっている。
【００２４】
好ましくは、本発明の表示装置において、画質調整を行う場合、上記画質調整用画像として画質調整対象の画像以外の画像の画質調整状態で画質調整された画像を表示すると共に画質調整中の画質調整状態の画像を表示するようになっている。
【００２５】
好ましくは、本発明の表示装置は、画質調整設定値を記憶するプリセット保持部を有しており、上記画質調整用画像が、上記プリセット保持部に記憶された少なくとも１つの画質調整設定値で画質調整がなされた画像である。
【００２６】
好ましくは、本発明の表示装置において、上記画質調整用画像と、上記画質調整中の画像とが同一内容の画像である。
【００２７】
好ましくは、本発明の表示装置において、上記画質調整用画像が、三原色の各色で描画された画質調整用図形を含む画像である。
【００２８】
好ましくは、本発明の表示装置は、上記画像の視方向を制御する液晶シャッタを有しており、液晶シャッタの透過率を制御することによって画質調整を行うようになっている。
【００２９】
好ましくは、本発明の表示装置は、上記複数の画像の初期画質調整設定値を記憶する初期画質調整設定値記憶部を有しており、上記画質調整部は、上記表示装置の起動時、または複数の視方向に対する個別の画像表示の起動時に、上記初期画質調整設定値記憶部に記憶されている初期画質調整設定値により上記複数の画像の画質調整を行うようになっている。
【００３０】
好ましくは、本発明の表示装置において、上記初期画質調整設定値は、上記表示装置の電源オフ時、または複数の視方向に対する個別の画像表示の終了時の画質調整値である。
【００３１】
好ましくは、本発明の表示装置は、上記複数の画像の画質調整設定値と該画質調整設定値による調整頻度を記憶する調整頻度記憶部を有しており、上記画質調整部は、上記表示装置の起動時、または複数の視方向に対する個別の画像表示の起動時に、上記調整頻度記憶部に記憶されている調整頻度に基づいて上記複数の画像の画質調整を行うようになっている。
【００３２】
好ましくは、本発明の表示装置は、周囲環境を検出する共通周囲環境センサを備えており、上記画質調整部は、上記表示装置の起動時、または複数の視方向に対する個別の画像表示の起動時に、上記共通周囲環境センサの出力に基づいて、画質調整を行うようになっている。
【００３３】
また一方で、本発明は、複数の視方向に対する個別の画像を同一画面上に表示する表示部を有する表示装置の画質調整方法において、上記個別の画像にそれぞれ対応する複数の画像の画質を独立して調整する画質調整処理を有する。
【００３４】
また一方で、本発明は、複数の視方向に対する個別の画像を同一画面上に表示する表示部を有する表示装置の画質調整方法において、上記複数の画像の画質調整操作に応答して、画質調整設定値を記憶する画質調整設定値記憶部の画質調整設定値を書き替える処理と、画質調整設定値記憶部に記憶されている画質調整設定値に基づいて画質調整を行う画質調整処理とを有する。
【００３５】
また一方で、本発明は、複数の視方向に対する個別の画像を同一画面上に表示する表示部を有する表示装置の画質調整を行う画質調整装置において、上記個別の画像にそれぞれ対応する複数の画像の画質を独立して調整する画質調整部を備えるように構成される。
【００３６】
また一方で、本発明の他の態様に係る表示装置は、第１の方向から観察される第１の映像と第２の方向から観察される第２の映像とを同時に表示可能な表示パネルと、第１および第２の映像ソースに接続され上記各映像ソースからの情報を上記表示パネル上に表示させる表示パネル駆動部とを備え、上記表示パネル駆動部は、上記表示パネルに表示される上記第１および第２の映像の画質を独立して調整する画質調整部を備えて構成される。
【００３７】
また一方で、上記表示パネル駆動部はさらに、上記表示パネルに表示される上記第１および第２の映像の画面サイズを独立して調整する画面サイズ調整部を備えている。
【００３８】
さらに、上記表示パネル駆動部は、上記画質調整部において設定された情報を上記第１および第２の映像に対して別個に表示する設定値表示回路を備えている。さらに、本発明の表示装置は入力部を備え、上記入力部により調整値の設定が可能である。
【００３９】
上記表示パネル駆動部はさらに記憶部を備え、上記画質調整部における設定値を上記記憶部に記憶するようになっている。さらに、上記画質調整部は、上記記憶部に記憶された上記第１の映像ソースに対する設定値を上記第２の映像ソースに対して設定可能である。
【００４０】
また一方で、本発明の他の態様に係る表示装置は、第１の方向から映像が観察できる第１画面と、第２の方向から映像が観察できる第２画面が１つの表示パネルにおける同領域の表示面に形成され、上記第１画面に表示される第１の映像と上記第２画面に表示される第２の映像とを同時に表示することが可能であり、互いに独立して調整可能な、上記第１の映像の画質の調整を行う第１の画質調整部と、上記第２の映像の画質の調整を行う第２の画質調整部とを備えるように構成される。
【００４１】
好ましくは、本発明の表示装置は、画質調整複写操作部と、上記調整複写操作部による操作があった場合に、上記第１の映像の画質調整状態を、上記第２の画質調整部による画質調整状態とする画質調整複写部とを備える。
【００４２】
好ましくは、本発明の表示装置は、プリセットスイッチに対応して画質調整データを記憶するプリセット保持部と、上記プリセットスイッチの操作により、調整対象画面における画質を、上記プリセット保持部に記憶された上記プリセットスイッチに対応する画質調整データにより調整するプリセット画質調整部とを備える。
【００４３】
好ましくは、本発明の表示装置は、上記プリセットスイッチに対する登録操作により、登録操作時点における登録対象画面に対する画質調整データを上記プリセット保持部に記憶するプリセットデータ登録部を備える。
【００４４】
好ましくは、本発明の表示装置は、調整モードを切り替えるモード切替操作部と、上記モード切替操作部の操作に応じて、上記第１画面における画質と上記第２画面における画質を独立して別個に調整する独立モードを、上記第１画面における画質と上記第２画面における画質を同方向に調整する共通モードに切り替えるモード切替部とを備える。
【００４５】
好ましくは、本発明の表示装置は、周囲環境を検出する共通周囲環境センサと、上記共通周囲環境センサの出力に応じて、上記第１画面における画質と、上記第２画面における画質を同方向に調整する対周囲環境共通補償部とを備える。
【００４６】
好ましくは、本発明の表示装置は、上記第１の画面における画質調整用の周囲環境を検出する第１の独立周囲環境センサと、上記第２の画面における画質調整用の周囲環境を検出する第２の独立周囲環境センサと、上記第１の独立周囲環境センサの出力に応じて、上記第１の画面における画質を調整する第１の対周囲環境補償部と、上記第２の独立周囲環境センサの出力に応じて、上記第２の画面における画質を調整する第２の対周囲環境補償部とを備える。
【００４７】
好ましくは、本発明の表示装置は、画質調整入替操作部と、上記画質調整入替操作部による操作があった場合に、上記第１の画質調整部の画質調整状態を上記第２の画質調整部の画質調整状態とし、上記第２の画質調整部の画質調整状態を上記第１の画質調整部の画質調整状態とする画質調整複写部とを備える。
【００４８】
好ましくは、本発明の表示装置は、画質調整中に、調整中の画面に画質調整用映像を表示する調整映像表示部を備える。
【００４９】
好ましくは、本発明の表示装置は、画質調整中に、非調整中の画面に画質調整用映像を表示する調整映像表示部を備える。
【００５０】
好ましくは、本発明の表示装置において、上記調整映像表示部は、画質調整用映像を表示した画面を領域分割し、画質調整前の映像と調整中の映像とを別領域に同時に表示するようになっている。
【００５１】
好ましくは、本発明の表示装置において、上記調整映像表示部は、画質調整前の映像と調整中の映像として同一内容の映像を表示するようになっている。
【００５２】
好ましくは、本発明の表示装置において、上記調整映像表示部は、画質調整前の映像と、非調整中の画面における画質調整状態で画質調整された映像を表示するようになっている。
【００５３】
好ましくは、本発明の表示装置において、上記調整映像表示部は、画質調整用映像を表示した画面を領域分割し、プリセット保持部に記憶された画質調整データで画質調整された映像を別領域に同時に表示するようになっている。
【００５４】
好ましくは、本発明の表示装置において、上記調整映像表示部は、三原色の各色で描画された図形を含む映像を表示するようになっている。
【００５５】
好ましくは、本発明の表示装置は、上記第１画面の第１の映像と、上記第２画面の第２の映像を視野方向について分離する液晶シャッタを備え、上記第１の映像、および上記第２の映像の画質調整を、上記液晶シャッタの透過率を制御することにより行うようになっている。
【００５６】
好ましくは、本発明の表示装置は、上記第１画面の第１の映像の初期第１調整値と、上記第２画面の第２の映像の初期第２調整値を記憶する初期調整値記憶部を備え、起動時に、上記第１の画質調整部が上記初期第１調整値により画質調整を行い、上記第２の画質調整部が上記初期第２調整値により画質調整を行うようになっている。
【００５７】
好ましくは、本発明の表示装置は、上記第１画面における画質調整値とその画質調整値による調整頻度と、上記第２画面における画質調整値とその画質調整値による調整頻度とを記憶する調整頻度記憶部を備え、起動時に、上記第１の画質調整部が、上記第１画面における調整頻度が最も高い画質調整値により画質調整を行い、上記第２の画質調整部が、上記第２画面における調整頻度が最も高い画質調整値により画質調整を行うようになっている。
【００５８】
好ましくは、本発明の表示装置は、周囲環境を検出する共通周囲環境センサを備え、起動時の上記共通周囲環境センサの出力に応じた各画面毎の画質調整値に応じて、上記第１の画質調整部が上記第１画面における画質調整を行い、上記第２の画質調整部が上記第２画面における画質調整を行うようになっている。
【００５９】
また一方で、本発明は、第１の方向から映像が観察できる第１画面と、第２の方向から映像が観察できる第２画面が１つの表示パネルにおける同領域の表示面に形成され、上記第１画面に表示される第１の映像と上記第２画面に表示される第２の映像とを同時に表示することが可能な表示装置において、上記第１の映像の画質の調整を行う第１の画質調整処理と、上記第２の映像の画質の調整を行う第２の画質調整処理とからなる画質調整方法を提供する。
【００６０】
また一方で、本発明は、第１の方向から映像が観察できる第１画面と、第２の方向から映像が観察できる第２画面が１つの表示パネルにおける同領域の表示面に形成され、上記第１画面に表示される第１の映像と上記第２画面に表示される第２の映像とを同時に表示することが可能な表示装置において、上記第１画面の第１の映像に対する画質調整操作に対して、上記第１の映像の画質の調整値を記憶する第１画質調整値記憶部の調整値を書き替える処理と、上記第２画面の第２の映像に対する画質調整操作に対して、上記第２の映像の画質の調整値を記憶する第２画質調整値記憶部の調整値を書き替える処理と、上記第１画質調整値記憶部の調整値に基づき上記第１画面における第１の映像の画質を調整する処理と、上記第２画質調整値記憶部の調整値に基づき上記第２画面における第２の映像の画質を調整する処理とを含む画質調整方法を提供する。
【発明の効果】
【００６１】
上記のような本発明の１つの態様に係る表示装置（例えば、マルチビュー表示装置）によれば、画質調整部（好ましくは、複数の画質調整部）により、複数の視方向に対して同一画面上にそれぞれ個別に表示される複数の画像の画質を独立して調整することが可能であるため、各々の画像の観察者（利用者）は、他の画像の画質に影響を及ぼすことなく自身が見ている画像に適した画質を選択し設定することができる。また一方で、画像サイズ調整部は、各方向の画像毎にその画像サイズを独立して調整することが可能であるため、１つの画像の観察者は他の画像の画像サイズに影響を及ぼすことなく、自身が見ている画像に適した画像サイズを選択し設定することができる。この結果、よりユーザフレンドリーな表示装置が実現される。
【００６２】
また一方で、画像の画質調整設定値をそれぞれの表示領域で表示すること、任意の画像の画質の調整を入力部により指示すること、画質調整設定値を記憶部に記憶しておき次回の画質設定に利用可能とすること等により、より使い勝手の良い表示装置を実現することができる。
【００６３】
さらに、本発明によれば、選択部による操作があった場合に、１つの画像ソースに対する画質調整設定値を他の画像の少なくとも１つの画像に対する画質調整設定値として設定することができる。それゆえに、運転者等が座席を変わるときに、好みの画質調整設定値に設定されている画質を引き継ぐことが可能になる。さらに、２つの画像ソースに対する画質調整設定値を入れ替えることもできるので、例えば運転者が変わる場合等に運転席と助手席とが変更されたときに、各々好みの画質調整設定値に設定されている画質を引き継ぐことが可能になる。
【００６４】
さらに、本発明によれば、プリセット機能により予め保持されている複数の画質調整設定値の中から、各画像毎に所望の画質調整設定値を選択することができるので、各々の画像における画質の調整が容易に行える。
【００６５】
さらに、本発明によれば、プリセットスイッチの登録操作を検出することによって、登録操作時点における登録対象画像に対する画質調整設定値をプリセット保持部に記憶することができるようになる。
【００６６】
さらに、本発明によれば、モード切替操作部による操作があった場合に、独立モードと共通モードとを切り替えることができるので、複数の画像の画質を共通に調整したり、複数の画像の画質を独立して別個に調整したりすることができるようになり、周囲環境の変化に対する画質の調整等がきめ細かく行える。
【００６７】
さらに、本発明によれば、共通周囲環境センサ（例えば、明るさセンサ等）による検出結果に応じて、同一画面上の複数の画像の画質を共通に調整することができるので、各画像に対して共通して影響を及ぼす周囲環境の変化に対する画質の調整が自動的にまとめて行える。
【００６８】
さらに、本発明によれば、複数の画像の周囲環境を個別に検出する複数の独立周囲環境センサを設け、上記複数の周囲環境センサの各々による検出結果に応じて各画像毎に独立して画質を調整するようにしているので、例えば運転席および助手席等の各座席で異なる影響を与える環境変化に応じて画質の調整が自動的に適切に行われるようになる。
【００６９】
さらに、本発明によれば、画質調整を行う場合、画質調整対象の画像が表示される表示部の表示領域に画質調整用画像（例えば、放送終了後の帯画像等の特定画像）を表示するようにしているので、画質調整対象の画像の画質の調整が容易に行える。
【００７０】
さらに、本発明によれば、画質調整を行う場合、画質調整対象の画像以外の画像が表示される表示部の表示領域に上記画質調整用画像を表示するようにしているので、画質調整対象の画像以外の画像に関しても画質の調整が容易に行える。
【００７１】
さらに、本発明によれば、画質調整を行う場合、画質調整前の画像と画質調整中の画像（または、画質調整後の画像）とを同時に表示するようにしているので、画質調整前の画像と画質調整中の画像とを比較しながら、各々の画像の画質の調整を容易に行うことができる。
【００７２】
さらに、本発明によれば、画質調整対象の画像が表示される表示部の表示領域を分割し、画質調整中の画質調整対象の１つの画像と、画質調整が既になされている画質調整対象以外の他の画像とを別領域に同時に表示するようにしているので、他の画像の画質の調整状態を参考にすることができ、画質調整の対象とする画像の画質の調整が容易に行える。
【００７３】
さらに、本発明によれば、画質調整対象の画像が表示される表示部の表示領域を分割し、プリセット保持部に記憶されている画質調整設定値により画質調整がなされた複数のプリセット調整状態を表示するようにしているので、これらのプリセット調整状態を比較することができ、画質調整対象の画像の画質を選択する際の参考にすることができるようになる。
【００７４】
さらに、本発明によれば、複数の画像における三原色の各々の色成分に関する画質の補正処理を行うようにしているので、各々の画像の画質の調整が高精度にて行われるようになる。
【００７５】
さらに、本発明によれば、表示装置の起動時、または複数の視方向に対する個別の画像表示の起動時に、初期画質調整設定値記憶部に記憶されている初期画質調整設定値により複数の画像の画質調整を行うようにしているので、各々の画像の画質の初期画質調整状態が自動的に選択され、画質調整のための操作の手間を省くことが可能になる。
【００７６】
さらに、本発明によれば、上記の初期画質調整設定値として、表示装置の電源オフ時、または複数の視方向に対する個別の画像表示の終了時の画質調整値（ラストメモリともよばれる）を初期画質調整設定値記憶部に記憶しているので、表示装置の起動時に継続して使用する可能性が高い画質の調整状態を選択することができるようになる。
【００７７】
さらに、本発明によれば、表示装置の起動時、または複数の視方向に対する個別の画像表示の起動時に、複数の画像の画質の調整頻度が最も高い画質調整設定値により各々の画像の画質調整を行うようにしているので、使用の可能性が最も高い画質の調整状態を選択することができるようになる。
【００７８】
さらに、本発明によれば、表示装置の起動時、または複数の視方向に対する個別の画像表示の起動時に、各座席毎に、表示の頻度が最も高くかつ設定の頻度が最も高い値を読み出して各々の画像の画質の設定を行うようにしているので、表示および使用の可能性が最も高い画質の調整状態となり、画質調整操作を省くことができる。
【００７９】
さらに、本発明によれば、表示装置の起動時、または複数の視方向に対する個別の画像表示の起動時に、共通周囲環境センサの出力に応じた各々の画像の画質調整値に応じて、各々の画像における画質調整を行うようにしているので、周囲環境の変化に応じて適切な画質を設定することができるようになる。さらに、周囲環境の変化が急激に起こった場合でも、例えばトンネルや夜間環境等の周囲環境の顕著な変化に応じた各々の画像の画質のカスタム値を用いて画質の調整を迅速に行うことができるようになる。
【００８０】
さらに、本発明によれば、複数の視方向に対する個別の画像を同一画面上に表示する表示装置の画質調整を行う機能を備えた画質調整装置をＩＣ（集積回路）により作製するようにしているので、画質調整装置の作製工程が容易になると共に、表示装置全体の寸法の節減が図れるようになる。
【００８１】
また一方で、本発明の他の態様に係る表示装置によれば、画質調整部は、それぞれの方向に表示する映像データに対して独立した画質設定が可能であるため、ユーザは、他の画面の画質に影響を及ぼすことなく自身が見ている映像に適した画質を選択し設定することができる。また一方で、画像サイズ設定部は、各方向の映像毎にその画面サイズを独立して調整することが可能であるため、ユーザは他の画面の画面サイズに影響を及ぼすことなく、自身が見ている映像に適した画像サイズを選択し設定することができる。この結果、よりユーザフレンドリーな表示装置が実現される。
【００８２】
また一方で、映像の画質設定情報をそれぞれの画面上で表示すること、設定値を記憶部に記憶しておき次回の画質設定に利用可能とすること等により、より使い勝手の良い表示装置を実現することができる。
【００８３】
さらに、本発明によれば、運転席等から観察される第１画面における第１の映像の画質（ブライトネス、コントラスト、シャープネス、色合い等）の調整と、助手席等から観察される第２画面における第２の映像の画質の調整とを互いに独立して行うことができるので、運転席および助手席等の各座席に適した画面の調整が可能になる。
【００８４】
さらに、本発明によれば、画質調整複写操作部（例えば、選択部）による操作があった場合に、第１の映像の画質調整状態を、第２の画質調整部による画質調整状態に変更することができるので、運転者等が座席を変わるときに、好みの画質を引き継ぐことが可能になる。
【００８５】
さらに、本発明によれば、プリセット機能により予め保持されている第１および第２の映像の画質の複数の設定値の中から、各映像毎に所望の設定値を選択することができるので、各々の画面における画質の調整が容易に行える。
【００８６】
さらに、本発明によれば、独立調整モードと共通モードとを切り替えることができるので、全画面の同じ方向への画質の調整を統合して行ったり、各画面が独立して画質を調整したりすることができるようになり、周囲環境の変化に対する画質の調整等がきめ細かく行える。
【００８７】
さらに、本発明によれば、周囲環境センサ（例えば、明るさセンサ等）による検出結果に応じて、全表示画面の同じ方向への画質の調整を統合して行うことができるので、各画面に対して共通して影響を及ぼす周囲環境の変化に対する画質の調整が自動的にまとめて行える。
【００８８】
さらに、本発明によれば、各々の画面に対して独立の複数の周囲環境センサを設け、上記複数の周囲環境センサの各々による検出結果に応じて各画面毎に独立して画質を調整するようにしているので、例えば運転席および助手席等の各座席で異なる影響を与える環境変化に応じて画質の調整が自動的に適切に行われるようになる。
【００８９】
さらに、本発明によれば、画質調整入替操作部（例えば、選択部）による操作があった場合に、各々の画面の画質の調整状態を入れ替えることができるので、例えば運転者が変わる場合等に運転席と助手席とが変更されたときに、各々好みの画質を引き継ぐことが可能になる。
【００９０】
さらに、本発明によれば、調整中の画面に画質調整用映像を表示するようにしているので、各々の画面の画質の調整が容易に行える。
【００９１】
さらに、本発明によれば、画面調整用映像を表示した画面を領域分割し、画質調整前の映像と調整中の映像を別領域に同時に表示するようにしているので、反対側の画面の画質の調整状態を参考にすることができ、画質調整の対象とする画面の画質の調整が容易に行える。
【００９２】
さらに、本発明によれば、第１の映像または第２の映像のいずれか一方の画質調整を行う表示画面を複数の画面に分割して、当該表示画面の画質の複数のプリセット調整状態を表示するようにしているので、各画質調整状態を比較することができ、当該表示画面の画質を選択する際の参考にすることができるようになる。
【００９３】
さらに、本発明によれば、第１の映像および第２の映像における三原色の各々の色成分に関する画質の補正処理を行うようにしているので、第１の映像および第２の映像の画質の調整が高精度にて行われるようになる。
【００９４】
さらに、本発明によれば、表示装置の起動時に、直前に初期調整値記憶部に記憶されている初期第１調整値および初期第２調整値（ラストメモリともよばれる）を読み出して第１および第２の映像の画質調整をそれぞれ行うようにしているので、起動時に継続して使用する可能性が高い画質の調整状態が自動的に選択され、画質調整のための操作の手間を省くことが可能になる。
【００９５】
さらに、本発明によれば、表示装置の起動時に、第１画面における画質の調整頻度が最も高い画質調整値により第１画面の画質調整を行うと共に、第２画面における画質の調整頻度が最も高い画質調整値により第２画面の画質調整を行うようにしているので、使用の可能性が最も高い画質の調整状態を選択することができるようになる。
【００９６】
さらに、本発明によれば、上記表示装置の起動時に、各座席毎に、表示の頻度が最も高くかつ設定の頻度が最も高い値を読み出して第１および第２の映像の画質の設定を行うようにしているので、表示および使用の可能性が最も高い画質の調整状態となり、画質調整操作を省くことができる。
【００９７】
さらに、本発明によれば、起動時の共通周囲環境センサの出力に応じた各画面毎の画質調整値に応じて、第１画面および第２画面における画質調整を行うようにしているので、周囲環境の変化に応じて適切な画質を設定することができるようになる。さらに、周囲環境の変化が急激に起こった場合でも、例えばトンネルや夜間環境等の周囲環境の顕著な変化に応じた各画面の画質のカスタム値を用いて画質の調整を迅速に行うことができるようになる。
【発明を実施するための最良の形態】
【００９８】
以下、本発明の実施形態を添付の図面（図１〜図３７）に従って説明する。但し、本発明の技術的範囲は上記の実施形態に限定されず、特許請求の範囲に記載された発明とその均等物に及ぶものである。
ここでは、まず、図１〜図９を参照しながら、本発明の実施形態の前提となる表示装置の概念的な構成およびその動作について説明する。
【００９９】
図１は、本発明に係わる表示装置の概念図である。なお、これ以降、前述した構成要素と同様のものについては、同一の参照番号を付して表すこととする。
図中、１は第１の画像ソース、２は第２の画像ソース、３は第１の画像ソースからの第１の画像データ、４は第２の画像ソースからの第２の画像データ、５は表示制御部、６は表示データ、７は表示部（例えば液晶パネル等）、８は第１の画像ソース１に基づく第１の表示画像、９は第２の画像ソース２に基づく第２の表示画像、１０は表示部７に対して左側に位置する観察者（利用者）、１１は表示部７に対して右側に位置する観察者（利用者）である。
【０１００】
図１の概念図は、表示部７に対する観察者１０、１１の相対的位置に応じて、換言すれば表示部７に対する視野角に応じて、観察者１０は第１の表示画像８を、観察者１１は第２の表示画像９を実質的に同時に見ることができ、しかも各々の表示画像８、９は表示部７の表示面全体にわたって見ることができることを概念的に示している。図１において、第１の画像ソース１は例えばＤＶＤプレーヤの映画画像やテレビ受信機の受信画像等、第２の画像ソース２は例えばカーナビゲーション装置の地図やルート案内画像等であり、それぞれの第１の画像データ３および第２の画像データ４は表示制御部５に供給され、それらを表示部７で実質的に同時に表示できるように処理される。
【０１０１】
表示制御部５から表示データ６を供給される表示部７は、後述する視差バリアを備えた液晶パネル等で構成される。表示部７の横方向の総画素の半数が第１の画像ソース１に基づく第１の表示画像８の表示に、残りの半数の画素が第２の画像ソース２に基づく第２の表示画像９の表示に使用される。表示部７に対して左側に位置する観察者１０には、第１の表示画像８に対応する画素のみが見え、第２の表示画像９は表示部７の表面に形成されている視差バリアによって遮られて実質的に見えない。また一方で、表示部７に対して右側に位置する観察者１１には、第２の表示画像９に対応する画素のみが見え、第１の表示画像８は視差バリアにより遮られて実質的に見えない。なお、視差バリアについては、例えば前述の特許文献５および特許文献６に開示された構成を応用することができる。
【０１０２】
係る構成により、単一の画面で左右の利用者に異なる情報やコンテンツを提供することができる。もちろん、第１の画像ソース１と第２の画像ソース２とが同じであれば、従来通り左右の利用者が同じ画像を見ることもできる。
【０１０３】
上記のとおり、本発明の表示装置では、複数の画像が表示される画面はあくまでも１つであり、この１つの画面上に、それぞれ独立して画質調整が行える複数の画像（図１では、２種類の画像）を同時に表示することを可能にしている点に注意すべきである。
【０１０４】
図２は、本発明に係るマルチビュー表示装置の車両への搭載例を示す斜視図である。図中、１２は助手席、１３は運転席、１４はウインドシールド、１５は操作部、１６はスピーカである。
【０１０５】
図１のマルチビュー表示装置の表示部７は、例えば図２に示すように、運転席１３と助手席１２とのほぼ中央のダッシュボード部分に配置される。マルチビュー表示装置に対する各種操作は、表示部７の表面に一体的に形成したタッチパネル（図示せず）や操作部１５、または、赤外線もしくは無線リモートコントローラ（図示せず）の操作によって行われる。車両の各ドアにはスピーカ１６が配置され、表示画像に連動した音声や警告音等が出力される。
【０１０６】
運転席１３に図１の観察者１１が、助手席１２には観察者１０が座る。表示部７に対する第１視方向（運転席側）から見ることができる画像は例えばカーナビゲーション装置の地図等の画像であり、実質的に同時に第２視方向（助手席側）から見ることができる画像は例えばテレビ受信画像やＤＶＤムービー画像である。したがって、運転席１３の運転者がカーナビゲーションによる運転支援を受けるのと同時に助手席１２の同乗者はテレビやＤＶＤを楽しむことができる。しかも、それぞれの画像は例えば７インチの画面全体を使用して表示されるため、従来のマルチウインドウ表示のように画像サイズが小さくなることもない。つまり、運転者、同乗者にとっては、あたかも各々に独立した専用のディスプレイがあるかの如く、それぞれに最適な情報やコンテンツが提供されるのである。
【０１０７】
図３は、表示部７の断面構造の概略図である。図中、１００は液晶パネル、１０１はバックライト、１０２は液晶パネルのバックライト側に設置された偏光板、１０３は液晶パネルの発光方向側の前面に配置された偏光板、１０４はＴＦＴ（Thin Film Transistor）基板、１０５は液晶層、１０６はカラーフィルタ基板、１０７はガラス基板、１０８は視差バリアである。液晶パネル１００は、ＴＦＴ基板１０４とそれに対向して配置されるカラーフィルタ基板１０６の間に液晶層１０５を挟持した一対の基板と、その発光方向側の前面に配置された視差バリア１０８とガラス基板１０７とを、２枚の偏光板１０２・１０３の間に挟んだ構成となっており、バックライト１０１からやや離隔して配設される。また、液晶パネル１００は、ＲＧＢ色（三原色）で構成される画素を有する。
【０１０８】
液晶パネル１００の各画素は、左側（助手席側）表示用と、右側（運転席側）表示用に分けられて表示制御される。そして、左側（助手席側）表示用画素は、視差バリア１０８により右側（運転席側）への表示は遮断され、左側（助手席側）からは見えるようになっている。また一方で、右側（運転席側）表示用画素は、視差バリア１０８により左側（助手席側）への表示が遮断され、右側（運転席側）からは見えるようになっている。これによって、運転者と同乗者に異なった表示を提供することが可能となる。つまり、運転者にはナビゲーションの地図情報を与え、同時に同乗者にはＤＶＤの映画等を見せることが可能となる。なお、視差バリア１０８、上記液晶パネルの各画素の構成を変更すれば、３方向等、複数方向に異なった画像を表示する構成も可能である。また一方で、視差バリア自体を電気的に駆動可能な液晶シャッタ等で構成して視野角を可変するようにしてもよい。
【０１０９】
図４は、表示パネルを正面から見た構造の概略図であり、前述の図３は図４中のＡ−Ａ′断面である。図中、１０９は左側（助手席側）表示用の画素、１１０は右側（運転席側）表示用の画素である。図３および図４は、例えば横方向に８００画素、縦方向に４８０画素並べられた液晶パネル１００の一部を表す。左側（助手席側）表示用の画素１０９と右側（運転席側）表示用の画素１１０は縦方向にグループ化され、交互に並んでいる。視差バリア１０８は、横方向にある間隔で配置され、縦方向には一様である。これによって、左側から表示パネルを見ると、視差バリア１０８が右側用画素１１０を覆い隠して、左側用画素１０９が見える。また同様に右側から見ると、視差バリア１０８が左側用画素１０９を覆い隠して、右側用画素１１０が見える。さらに正面付近では、左側用画素１０９と右側用画素１１０の両方が見えるため、左側の表示画像と右側の表示画像とが実質的に重なって見える。ここで、図４中の交互に並んだ左側用画素１０９および右側用画素１１０は、図３のようにＲＧＢ色を有しているが、各グループの縦方向内は、Ｒ列、Ｇ列、Ｂ列のように単色で構成されていてもよいし、ＲＧＢが複数混じった列として構成されていてもよい。
【０１１０】
図５はＴＦＴ基板１０４の概略を示す回路図である。１１１は表示パネル駆動部、１１２は走査線駆動回路、１１３はデータ線駆動回路、１１４はＴＦＴ素子、１１５〜１１８はデータ線、１１９〜１２１は走査線、１２２は画素電極、１２３はサブピクセルである。
図５に示すように、サブピクセル１２３は各データ線１１５〜１１８および各走査線１１９〜１２１によって囲まれた領域を一単位とし、複数形成される。各サブピクセルには、液晶層１０５に電圧を印加する画素電極１２２とそれをスイッチング制御するＴＦＴ素子１１４が形成されている。表示パネル駆動部１１１は走査線駆動回路１１２およびデータ線駆動回路１１３の駆動タイミングを制御する。走査線駆動回路１１２はＴＦＴ素子１１４の選択走査を行い、またデータ線駆動回路１１３は画素電極１２２への印加電圧を制御する。
【０１１１】
前記複数のサブピクセルは、第１の画像データと第２の画像データの合成データもしくは、第１と第２の個々の画像データに基づいて、例えばデータ線１１５と１１７に第１の画素データ（左側の画像表示用）を、またデータ線１１６と１１８に第２の画素データ（右側の画像表示用）を送信することよって、第１の画像を表示する第１の画像データ群と第２の画像を表示する第２の画像データ群とが形成される。
【０１１２】
図６は、本発明に係る表示装置の概略を示すブロック図であり、いわゆるＡＶＮ（Audio Visual Navigation） 複合機への適用例である。図中、１２４はタッチパネル、２００は制御部、２０１はＣＤ／MD再生部、２０２はラジオ受信部、２０３はＴＶ受信部、２０４はＤＶＤ再生、２０５はハードディスク（ＨＤ：Hard Disk）再生部、２０６はナビゲーション部、２０７は分配回路、２０８は第１の画像調整回路、２０９は第２の画像調整回路、２１０は音声調整回路、２１１は画像出力部、２１２はＶＩＣＳ情報受信部、２１３はＧＰＳ情報受信部、２１４はセレクタ、２１５は操作部、２１６はリモコン送受信部、２１７はリモコン、２１８はメモリ、２１９は外部音声／映像（画像）入力部、２２０はカメラ、２２１は明るさ検知部、２２２は乗員検知部、２２３はリア表示部、２２４はＥＴＣ車載器、２２５は通信ユニットである。
【０１１３】
表示部７は、タッチパネル１２４、液晶パネル１００およびバックライト１０１から構成される。表示部７の液晶パネル１００は、これまでに述べてきたように、第１視方向として運転席側から見られる画像と、第２視方向として助手席側から見られる画像とを、実質的に同時に表示することが可能となっている。なお、表示部７には、液晶パネル以外のフラットパネルディスレイ、例えば有機ＥＬディスプレイ・パネル、プラズマ・ディスプレイ・パネル、冷陰極フラットパネルディスプレイ等を用いることもできる。
【０１１４】
制御部２００は、各種ソース（ＣＤ／ＭＤ再生部２０１、ラジオ受信部２０２、ＴＶ受信部２０３、ＤＶＤ再生部２０４、ＨＤ再生部２０５およびナビゲーション部２０６）からの画像や音声は、制御部２００からの指示に基づき左用に指定された画像ソースの画像データを第１の画像調整回路２０８に、右用に指定された画像ソースの画像データを第２の画像調整回路２０９に分配させる分配回路２０７を介して、画像であれば第１の画像調整回路２０８および第２の画像調整回路２０９に、音声であれば音声調整回路２１０にそれぞれ分配される。そして、第１および第２の画像調整回路２０８、２０９では、輝度や色調、コントラストなどが調整され、調整された各画像を画像出力部２１１にて、表示部７に表示させる。また音声調整回路２１０では各スピーカへの分配や音量、音声が調整され、調整された音声が、スピーカ１６から出力される。
【０１１５】
図７は画像出力部２１１の概略を示すブロック図である。図中、２２６は第１の書込回路、２２７は第２の書込回路、２２８はＶＲＡＭ（Video Random Access Memory：グラフィックス・ディスプレイのフレーム・バッファ専用ＲＡＭ）である。
【０１１６】
画像出力部２１１は、例えば図７に示すように、第１の書込回路２２６と第２の書込回路２２７とＶＲＡＭ（Video RAM）２２８と表示部駆動部１１１とを備えている。例えば、第１の書込回路２２６は、第１の画像調整回路２０８で調整された画像データのうち奇数列に対応する画像データ（すなわち、図１の第１の表示画像８用の画像データ）を、第２の書込回路２２７は、第２の画像調整回路２０９で調整された画像データのうち偶数列に対応する画像データ（すなわち、図１の第２の表示画像９用の画像データ）をもとにし、それぞれＶＲＡＭ２２８における該当する領域に書き込む。また表示部駆動部１１１は液晶パネル１００を駆動する回路であり、ＶＲＡＭ２２８に保持されている画像データ（第１の画像データと第２の画像データの合成データ）に基づいて、液晶表示パネル１００の対応する画素を駆動する。尚、ＶＲＡＭ２２８には第１の画像データと第２の画像データの合成されたマルチビュー表示用の画像に対応するように画像データの書き込みが行われているので、駆動回路は１つでよく、その動作も通常の液晶表示装置の駆動回路の動作と同じである。また別の構成として、第１の画像データと第２の画像データを合成せずに、それぞれの画像データに基づいて、液晶表示パネルの対応する画素を駆動する第１の表示パネル駆動回路および第２の表示パネル駆動回路を用いることも考えられる。
【０１１７】
ここで、図６で示した各種ソースの一例について説明をすると、ＨＤ再生部２０５を選択した場合、ハードディスク（ＨＤ）に記憶されたＭＰ３ファイル等の音楽データやＪＰＥＧファイル等の画像データ、ナビゲーション用の地図データ等が読み出され、音楽データを選択するためのメニュー表示や画像データを表示部７に表示させることができる。
【０１１８】
ナビゲーション部２０６は、ナビゲーションの為に利用される地図情報を記憶した地図情報記憶部を備え、ＶＩＣＳ情報受信部２１２、ＧＰＳ情報受信部２１３から情報を入手し、ナビゲーション動作の為の画像を作成し、表示させることができる。またＴＶ受信部２０３は、アンテナからセレクタ２１４を介して、アナログＴＶ放送波およびディジタルＴＶ放送波を受信する。
【０１１９】
図８は制御部２００の概略を示すブロック図である。図中、２２９はインターフェース、２３０はＣＰＵ、２３１は記憶部、２３２はデータ記憶部である。
【０１２０】
制御部２００は分配回路２０７ならびに各種ソースを制御し、選択された２つのソースもしくは１つのソースについて表示を行わせる。また制御部２００は、これら各種ソースをコントロールするための操作メニュー表示を表示部７に表示させることも行っている。ここで、図８で示すように、制御部２００はマイクロプロセッサなどで構成され、インターフェース２２９を介して、表示装置内の各部や各回路を統括的に制御しているＣＰＵ２３０を備えている。このＣＰＵ２３０には、表示装置の動作に必要な各種のプログラムを保持するＲＯＭＣＰＵ７ａを備えている。このＣＰＵ７ａには、表示装置の動作に必要な各種のプログラムを保持するＲＯＭ（Read-Only Memory：リード・オンリ・メモリ）からなるプログラム記憶部２３１と、各種のデータを保持するＲＡＭ（Random Access Memory：ランダム・アクセス・メモリ）からなるデータ記憶部２３２とが設けられている。なお、ＲＯＭやＲＡＭ等は、ＣＰＵに内蔵されたものでも、外部に設けたものでも使用することが可能である。また、ＲＯＭはフラッシュメモリのように電気的に書き替え可能な不揮発性メモリでもよい。
【０１２１】
利用者（ユーザ）は、上記各種ソースのコントロールを、表示部７の表面に取り付けられているタッチパネル１２４や表示部７の周囲に設けられたスイッチ、もしくは音声認識等の入力操作や選択操作を操作部２１５によって行うことができる。またリモコン送受信部２１６を介して、リモコン２１７により入力もしくは選択操作をしてもよい。制御部２００は、このタッチパネル１２４や操作部２１５の操作に従って、各種ソースを含めた制御を行っている。また、制御部２００は、図２のように車両内に複数備え付けられたスピーカ１６の各音量等を、音声調整回路２１０を用いて制御することができるように構成されている。また制御部２００は、メモリ２１８に画質設定情報やプログラム、車両情報等の各種設定情報を記憶させることも行っている。
【０１２２】
図９はメモリ２１８の概略を示すブロック図である。図中、２３３は第１の画面ＲＡＭ、２３４は第２の画面ＲＡＭ、２３５は画質設定情報記憶部、２３６は対環境調整値保持部である。なお、上記の第１の画面ＲＡＭ、第２の画面ＲＡＭ、画質設定情報記憶部、および対環境調整値保持部の具体的な構成に関しては、図１７にても後述する。
【０１２３】
メモリ２１８は、例えば図９に示すように、利用者が設定した第１の画像および第２の画像の画質の調整値がそれぞれ書き込み可能な第１の画面ＲＡＭ２３３および第２の画面ＲＡＭ２３４を有する。また、第１の画像および第２の画像の画質を調整する場合に、読み出すことができるプリセット値として各画質調整用に予め複数段階の画質調整値が記憶されている画質設定情報記憶部２３５も有する。さらに車外の明るさ変化等の周囲環境変化に応じた画質を調整するために、周囲環境に対する第１の画像および第２の画像の画質の調整値を保持する対環境調整値保持部２３６を有している。ここで画質設定情報記憶部２３５および対環境調整値保持部２３６は、フラッシュメモリなどの電気的に書き替え可能不揮発性メモリ又はバッテリバックアップされた揮発性メモリにより構成される。
【０１２４】
外部音声／映像（画像）入力部２１９に接続された、例えば後方監視用のカメラ２２０からの映像（画像）を表示部７に表示するようにしてもよい。なお、後方監視用カメラ２２０以外に、ビデオカメラおよびゲーム機等を外部音声／映像（画像）入力部２１９に接続してもよい。
【０１２５】
制御部２００は、明るさ検知部２２１（例えば、車両のライトスイッチや光センサ）や乗員検知部２２２（例えば、運転席や助手席に設けられる感圧センサ）により検知された情報を元に、音声の定位位置等の設定を変更させることが可能である。
【０１２６】
２２３は車両の後席用に設けられたリア表示部であり、画像出力部２１１を介して、表示部７に表示される画像と同じもの、または運転席用の画像もしくは助手席用の画像のいずれか一方が表示可能である。
【０１２７】
制御部２００は、ＥＴＣ車載器２５０からの料金表示等を表示させることを行っている。また制御部２００は、携帯電話などと無線接続するための通信ユニット２２５を制御し、これに関する表示がされるようにしてもよい。
【０１２８】
ついで、添付図面（図１０〜図１８）を参照しながら、本発明の基本的な実施形態（実施例）を説明する。
【０１２９】
図１０は、本発明の第１の実施形態に係るマルチビュー表示装置の概略構成を示すブロック図である。図において、４５はマルチビュー表示のための表示パネル（すなわち、表示部、図１０では、マルチビュー表示パネルと記す）であり、パネルに対して例えば左側および右側から観察可能な２種類の画像を同時に表示することができるものである。この表示パネルは、前述の特許文献１に記載された構造の表示パネルを使用して実現が可能である。
【０１３０】
図１１は、表示パネル４５において同時に表示される２種類の画像４６、４７がどのようにユーザ（利用者）に観察されるかを示す図である。図示するように、表示パネル４５の左側から見るユーザには、画像４６が観察され、右側から見るユーザには画像４７が観察される。左側のユーザには画像４７は観察できず、右側のユーザには画像４６は観察できない。このため、左側のユーザは、右側のユーザの視線を気にすることなく自身の好みの画像を見ることができ、右側のユーザは左側のユーザの視線を気にすることなく自身の好みの画像を見ることができる。
【０１３１】
図１０において、２ｓおよび３ｓは第１および第２の外部の画像ソースを示す。４ｐは、表示パネル駆動部であり、第１および第２の外部の画像ソース２ｓ、３ｓから入力された画像信号のデータを処理して表示パネル４５を駆動する信号を生成する。表示パネル駆動部４ｐは、左側の画像４６のための画質調整回路４１、右側の画像４７のための画質調整回路４２および表示パネル駆動回路４３を含んでいる。画質調整回路４１は、第１の画像ソース２ｓの画質を、例えばブライトネス、コントラスト、シャープネス等について調整する機能を有する。同様に、画質調整回路４２は、第２の画像ソース３ｓの画質を、ブライトネス、コントラスト、シャープネス、色調等について調整する。調整後の信号は表示パネル駆動回路４３に入力され、表示パネル４５上で画像４６、４７を表示すべく信号処理される。
【０１３２】
図１０に示す表示装置では、外部の画像ソース２ｓおよび３ｓに対してそれぞれ画質調整回路４１、４２が設けられているので、異なる画像ソース２ｓ、３ｓからの画像信号に対して独立に画質調整が可能である。このため、画像４５、４６において、個々に最適調整された画質を有する画像が表示され、ユーザは快適に画像を見ることができる。
【０１３３】
図１２は、図１０の具体例に係るマルチビュー表示装置の概略構成を示すブロック図である。  図１２のマルチビュー表示装置は、前述の図１０のマルチビュー表示装置に外部入力装置１８およびＣＰＵ１９を設けている。図１２においても、前述の図１０の場合と同様に、マルチビュー表示のための表示パネル４５が設けられており、この表示パネルに対して例えば左側および右側から観察可能な２種類の画像を同時に表示することができるものである。
【０１３４】
図１２においても、前述の図１０の場合と同様に、第１の画像ソース２ｓおよび第２の画像ソース３ｓが設けられている。図１２のマルチビュー表示装置は、前述の図１０の場合と同様に、表示パネル駆動部４ｐを備えている。さらに、表示パネル駆動部４ｐは、左側の画像４６のための画質調整回路４１、右側の画像４７のための画質調整回路４２および表示パネル駆動回路４３を含んでいる。
【０１３５】
図１２の表示パネル駆動部４ｐは、第１の画像ソース２ｓおよび第２の画像ソース３ｓに対してそれぞれ独立に画質を調整するための複数の画質調整部（図１２では、画質調整回路４１および画質調整回路４２）を有する画質調整装置として機能する。好ましくは、この画質調整装置は、ＩＣ（集積回路）により作製することができる。また、この画質調整装置は、表示パネル駆動回路４３を含まず、複数の画質調整部（図１２では、画質調整回路４１および画質調整回路４２）で構成されてもよい。
【０１３６】
さらに、図１２のマルチビュー表示装置は、画質調整のための設定値を入力する外部入力装置１８（すなわち、入力部）と、外部入力装置１８から入力された設定値に基づいて画質調整回路４１および画質調整回路４２を制御するＣＰＵ（Central Processing Unit：中央演算処理装置）とを備えている。なお、外部入力装置１８は、図示しない画質調整開始指示操作部、画質調整操作部、および画質調整完了指示操作部を備えている。図１２において、画質調整のための設定値は、外部入力装置１８を用いてユーザによって設定される。この設定情報はＣＰＵ１９に導入され、ＣＰＵ１９では当該設定情報に基づいて画質調整回路４１および画質調整回路４２を制御するための信号を生成する。画質調整回路４１および画質調整回路４２は、ＣＰＵ１９から出力された制御信号に基づいて第１、第２の画像ソース２ｓ、３ｓからの画像データを処理することにより、各画像４６、４７の画質調整を行う。なお、図１２のマルチビュー表示装置では、表示パネル駆動部４ｐの外部にＣＰＵ１９を設けているが、ＣＰＵ１９が表示パネル駆動部４ｐ内に含まれてもよい。
【０１３７】
図１３は、図１２のＣＰＵ１９の画質調整処理を説明するためのフローチャートである。この処理は、図１２のＣＰＵ１９が、外部入力装置１８からの画質調整開始指示を検出したときに実行する。つまり、ユーザ（利用者）によって、外部入力装置１８の画質調整開始指示操作部が操作されると、本フローチャートが実行される。
【０１３８】
まず、外部入力装置１８からの画質調整指示が入力されたか否かを検出し、画質調整指示が入力された場合にはステップＳ１３ｂに進み、画質調整指示が入力されない場合にはステップＳ１３ｃに進む（ステップＳ１３ａ）。つまり、ステップＳ１３ａは、ユーザ（利用者）が外部入力装置１８の画質調整操作部を用いて画質調整操作を行った場合にはステップＳ１３ｂに進み、画質調整操作を行わない場合にはステップＳ１３ｃに進む。
【０１３９】
ステップＳ１３ｂでは、外部入力装置１８からの画質調整指示に応じて、画質調整対象画像に対応する画質調整回路に画質調整指示を出力して、ステップＳ１３ｃに進む。このことにより、ユーザ（利用者）の外部入力装置１８の画質調整操作に応じて、画質調整対象画像の画質が変更される。
【０１４０】
つまり、左側の画像４６が画質調整対象画像である場合、外部入力装置１８からの画質調整指示（ユーザの画質調整操作）に応じて、画質調整回路４１を制御して左側の画像の画質を調整し、右側の画像４７が画質調整対象画像である場合、外部入力装置１８からの画質調整指示（ユーザの画質調整操作）に応じて、画質調整回路４１を制御して右側の画像の画質を調整してステップＳ１３ｃに進む。
【０１４１】
ステップＳ１３ｃでは、外部入力装置１８からの画質調整完了指示が入力されたか否かを検出し、完了指示が入力された場合（ユーザの画質調整操作部の操作があった場合）には処理を終了し、外部入力装置１８からの画質調整完了指示が入力されない場合（ユーザの画質調整操作部の操作がない場合）にはステップＳ１３ａに戻る。なお、画質調整完了指示の検出方法として、外部入力装置１８からの画質調整完了指示の入力の検出ではなく、外部入力装置１８の最後の操作から所定時間経過した場合に、画質調整操作完了であると判別してもよい。
【０１４２】
本処理では、外部入力装置１８からの画質調整操作に応じて、画質調整対象画像の画質調整回路４１、４２に画質調整指示を出力する。なお、画質調整回路４１、４２への画質調整指示は、画質調整操作完了指示が入力された後でもよい。
【０１４３】
図１２のマルチビュー表示装置では、画質調整装置として機能する表示パネル駆動部をＩＣにより作製するようにしているので、画質調整装置の作製工程が容易になると共に、マルチビュー表示装置全体の寸法が小さくなる。
【０１４４】
図１４は、本発明の第２の実施形態に係るマルチビュー表示装置の概略構成を示すブロック図であり、図１５は、画像サイズの異なる画像が表示されている例を示す図である。なお、本図（図１４、図１５）において、図１０〜図１２と共通の符号は同一または類似の構成要素を示すのでその重複した説明は省略する。図において、５０は本実施形態の特徴を示す表示パネル駆動部であり、６ｅは例えばリモコンの操作キー、あるいはタッチパネル入力部などで構成される外部入力装置（すなわち、入力部）を示す。なお、外部入力装置６ｅは、図示しない画質調整開始指示操作部、画質調整操作部、画質調整完了指示操作部、画像サイズ調整開始指示操作部、画像サイズ調整操作部、および画像サイズ調整完了指示操作部を備える。
【０１４５】
表示パネル駆動部５０は、画質調整回路５１、画像サイズ調整回路５２、表示パネル駆動回路５３、ＣＰＵ５４、設定値表示回路５５およびメモリ５６を備えている。図１０に示す実施形態のように、画質調整回路４１、４２を第１および第２の画像ソース２ｓおよび３ｓに対して独立して設ける構造では回路規模が比較的大きくなる問題点がある。本実施形態では、この問題を解決するために、１個の画質調整回路５１をタイミング調整して用いることにより、第１、第２の画像ソース２ｓ、３ｓからの異なる画像信号に別個の画質調整を可能としたものである。なお、この場合のタイミング調整については後述する。
【０１４６】
また本実施形態の装置では、画像サイズ調整回路５２を設けることによって、個々の画像４６、４７の独立した画像サイズ調整を可能としている。図１５においては、左側の画像４６に関して、拡大された画像サイズの画像４６′と、縮小された画像サイズの画像４６″が例示されており、右側の画像４７に関して、拡大された画像サイズの画像４７′と、縮小された画像サイズの画像４７″が例示されている。左側の画像４６、４６′および画像４６″は、右側の画像４７、４７′および４７″とは独立に表示することが可能である。さらに、画像ソースにより、画像サイズがノーマル画像、ワイド画像、フル画像等種々のものが存在する。したがって、ユーザは、自己が見ている画像を画像ソースに適したものに設定することにより快適な画像の視聴が可能となるが、従来の表示装置では画像サイズ調整によって他方の画像サイズも変更されてしまうので、自己の都合により自由に画像設定を行うことができなかった。
【０１４７】
本実施形態では、画像サイズを個々の画像ソースに対して独立に調整することが可能な画像サイズ調整回路５２を設けているので、他の画像への影響を心配することなく、ユーザ自身が見ている画像のサイズ調整が可能となり、ユーザの快適な視聴が促進される。なお、画像サイズ調整回路５２も画質調整回路５１と同様に、１個の回路５２をタイミング調整して用いることによって、別個の画像４６、４７の独立したサイズ調整を可能としている。
【０１４８】
画質調整のための設定値は、外部入力装置６ｅを用いてユーザによって設定される。この設定情報はＣＰＵ５４に導入され、ＣＰＵ５４では入力情報に基づいて画質調整回路５１および画像サイズ調整回路５２を制御するための信号を生成し、回路５１、５２に出力する。画質調整回路５１および画像サイズ調整回路５２は、ＣＰＵ５４から出力された制御信号に基づいて第１、第２の画像ソース２ｓ、３ｓからの画像データを処理することにより、各画像４６、４７の画質調整、画像サイズ調整を行う。
【０１４９】
図１６は、図１４のＣＰＵ５４の処理を説明するためのフローチャートである。より詳しくいえば、図１６の（ａ）は、画質調整を説明するためのフローチャートであり、図１６の（ｂ）は、画像サイズ調整処理を説明するためのフローチャートである。
【０１５０】
図１６の（ａ）のフローチャートは、図１４のＣＰＵ５４が、外部入力装置６ｅからの画質調整開始指示を検出したときに実行する。つまり、ユーザ（利用者）によって、外部入力装置６ｅの画質調整開始指示操作部が操作されると、本フローチャートが実行される。
【０１５１】
まず、外部入力装置６ｅからの画質調整指示が入力されたか否かを検出し、画質調整指示が入力された場合にはステップＳ１６ｂに進み、画質調整指示が入力されない場合にはステップＳ１６ｃに進む（ステップＳ１６ａ）。つまり、ステップＳ１６ａは、ユーザ（利用者）が外部入力装置６ｅの画質調整操作部を用いて画質調整操作を行った場合にはステップＳ１６ｂに進み、画質調整操作を行わない場合にはステップＳ１６ｃに進む。
【０１５２】
ステップＳ１６ｂでは、外部入力装置６ｅからの画質調整指示に応じて、画質調整回路５１に、画質調整対象画像の画質調整指示を出力すると共に、メモリ５４に画質調整設定値を出力して、ステップＳ１６ｃに進む。このことにより、ユーザ（利用者）の外部入力装置６ｅの画質調整操作に応じて、画質調整対象画像の画質が変更される。
【０１５３】
つまり、左側の画像４６が画質調整対象画像である場合、外部入力装置６ｅからの画質調整指示（ユーザの画質調整操作）に応じて、画質調整回路５１を制御して左側の画像４６の画質を調整し、右側の画像４７が画質調整対象画像である場合、外部入力装置１８からの画質調整指示（ユーザの画質調整操作）に応じて、画質調整回路５１を制御して右側の画像４７の画質を調整してステップＳ１６ｃに進む。
【０１５４】
ステップＳ１６ｃでは、外部入力装置６ｅからの画質調整完了指示が入力されたか否かを検出し、完了指示が入力された場合（ユーザの画質調整操作部の操作があった場合）には処理を終了し、外部入力装置６ｅからの画質調整完了指示が入力されない場合（ユーザの画質調整操作部の操作がない場合）にはステップＳ１６ａに戻る。なお、画質調整完了指示の検出方法として、外部入力装置６ｅからの画質調整完了指示の入力の検出ではなく、外部入力装置６ｅの最後の操作から所定時間経過した場合に、画質調整操作完了であると判別してもよい。
【０１５５】
本処理では、外部入力装置６ｅからの画質調整操作に応じて、画質調整対象画像の画質調整回路５１に画質調整指示を出力する。なお、画質調整回路５１への画質調整指示は、画質調整操作完了指示が入力された後でもよい。
【０１５６】
図１６の（ｂ）のフローチャートは、図１４のＣＰＵ５４が、外部入力装置６ｅからの画像サイズ調整開始指示を検出したときに実行する。つまり、ユーザ（利用者）によって、外部入力装置６ｅの画像サイズ調整開始指示操作部が操作されると、本フローチャートが実行される。
【０１５７】
まず、外部入力装置６ｅからの画像サイズ調整指示が入力されたか否かを検出し、画像サイズ調整指示が入力された場合にはステップＳ１６ｅに進み、画像サイズ調整指示が入力されない場合にはステップＳ１６ｆに進む（ステップＳ１６ｄ）。つまり、ステップＳ１６ｄは、ユーザ（利用者）が外部入力装置６ｅの画像サイズ調整操作部を用いて画像サイズ調整操作を行った場合にはステップＳ１６ｅに進み、画像サイズ調整操作を行わない場合にはステップＳ１６ｆに進む。
【０１５８】
ステップＳ１６ｅでは、外部入力装置６ｅからの画像サイズ調整指示に応じて、画像サイズ調整回路５２に、画像サイズ調整対象画像の画像サイズ調整指示を出力すると共に、メモリ５６に画像サイズ調整設定値を出力して、ステップＳ１６ｆに進む。このことにより、ユーザ（利用者）の外部入力装置６ｅの画像サイズ調整操作に応じて、画像サイズ調整対象画像の画像サイズが変更される。
【０１５９】
つまり、左側の画像４６が画像サイズ調整対象画像である場合、外部入力装置６ｅからの画像サイズ調整指示（ユーザの画像サイズ調整操作）に応じて、画像サイズ調整回路５２を制御して左側の画像４６の画像サイズを調整し、右側の画像４７が画像サイズ調整対象画像である場合、外部入力装置１８からの画像サイズ調整指示（ユーザの画像サイズ調整操作）に応じて、画像サイズ調整回路５２を制御して右側の画像４７の画像サイズを調整してステップＳ１６ｆに進む。
【０１６０】
ステップＳ１６ｆでは、外部入力装置６ｅからの画像サイズ調整完了指示が入力されたか否かを検出し、完了指示が入力された場合（ユーザの画像サイズ調整操作部の操作があった場合）には処理を終了し、外部入力装置６ｅからの画像サイズ調整完了指示が入力されない場合（ユーザの画像サイズ調整操作部の操作がない場合）にはステップＳ１６ｄに戻る。なお、画像サイズ調整完了指示の検出方法として、外部入力装置６ｅからの画像サイズ調整完了指示の入力の検出ではなく、外部入力装置６ｅの最後の操作から所定時間経過した場合に、画像サイズ調整操作完了であると判別してもよい。
【０１６１】
本処理では、外部入力装置６ｅからの画像サイズ調整操作に応じて、画像サイズ調整対象画像の画像サイズ調整回路５２に画像サイズ調整指示を出力する。なお、画像サイズ調整回路５２への画像サイズ調整指示は、画像サイズ調整操作完了指示が入力された後でもよい。
【０１６２】
ＣＰＵ５４は、前述の図１６のフローチャートが実行されたとき、さらに設定値表示回路５５に制御信号を出力し、外部入力装置６ｅを介して入力されたユーザの設定情報を、対応する画像４６あるいは４７上に表示させる。なお、ユーザの設定情報を対応する画像４６あるいは４７上に表示させるのではなく、左側用画像（すなわち、左側の画像）４６あるいは右側用画像（すなわち、右側の画像）４７としてユーザの設定情報画像を表示させるようにしてもよい。
【０１６３】
図１７は、左側用画像（すなわち、左側の画像）４６上として、ユーザの設定情報画像を表示させた場合の表示例を示している。今、表示パネル４５の左側に位置するユーザが、自身が見ている画像をリモコン等を介して画質調整しようとする場合、左側用画像（すなわち、左側の画像）４６としてユーザの設定情報画像、すなわちコントラスト５０、ブライトネス５０が表示される。これによって、ユーザは自身の設定の詳細を確認しながら画質調整を行うことができる。この表示は、設定を行うユーザ側のみ表示され、他方には表示されないので、他画像を視聴中のユーザは画質設定中のユーザの行為に影響を受けず、自身の視聴を続けることができる。
【０１６４】
さらに、外部入力装置６ｅにおける入力の方法によっては、例えば右側の画像の画質調整の詳細を左側の画像上に、または左側用画像として表示しながら、右側の画像の画質調整を行うことができる。すなわち、左側のユーザが左側の画像４６ａを見ながら、右側の画像の画質調整を行うことが可能である。この場合、設定値表示回路５５によって、例えば図１７に示すように、左側の画像４６ａ上に右側の画像の調整を行っていることを表示することにより、ユーザがどちらの画像を調整しているかの確認が容易となる。
【０１６５】
前述の図１４に示す装置では、外部入力装置６ｅからの入力情報、画質調整回路５１における画質調整値、画像サイズ調整回路５２における画像サイズ調整値がメモリ５６に記憶される。記憶されたこれらの設定値は、ユーザによる次回の画質調整、画像サイズ調整に利用される。すなわち、次回の画質調整を行う場合、まずメモリ５６に記憶された設定値に基づいて画質および画像サイズを初期設定し、かつ初期設定値を画像上にまたは画像として表示させる。これによって、ユーザは前回の設定の上に立って新たな設定を開始できるので、前回と同じ設定を望む場合は調整作業が必要なく、あるいは前回の設定値を参考にしながら新たな設定作業を進めることができる。そのため、画質調整の操作がより簡便となる。
【０１６６】
また、メモリ５６に記憶された設定値を左側用画像および右側用画像４６、４７の操作に共用可能とすることでメモリ回路の縮小化を図ることができ、さらに、左側用画像４６または右側用画像４７のいずれかで調整した設定値を他方の画像で使用したい場合に、新たに調整しなおす手間を省くことができる。なお、メモリ５６は外付けのメモリであってもよい。
【０１６７】
図１８は、図１４に示す回路において、タイミング調整により第１、第２の画像ソース２ｓ、３ｓの画質調整を独立して行う場合のタイミングチャートを示す。なお、図１６では画質調整回路５１とＣＰＵ５４によって画質調整を行う場合を示しているが、画像サイズ調整回路５２も同様のタイミング制御により２個の画像において独立した調整が可能である。
【０１６８】
図１８のクロック１はシステム動作クロックを示し、クロック２はクロック１の２分周クロックを示す。クロック２によって第１の画像ソース、第２の画像ソースに対する画質調整の設定の振分を行っている。図１８の‘設定値’において、斜線部分ａは第１の画像ソースの画質調整設定値を示し、空白部分ｂは第２の画像ソース３の画質調整設定値を示す。
【０１６９】
クロック２がハイレベルのとき、第１の画像ソース２ｓのデータと設定値の斜線部分ａのデータとから第１の画像ソース２ｓの画質調整を行い、クロック２がロウレベルのとき、第２の画像ソース３ｓのデータと設定値の空白部分ｂのデータとから第２の画像ソースの画質調整を行う。図の‘第１の画像ソース出力’は、第１の画像ソースデータと設定値による演算結果を示し、‘第２の画像ソース出力’は第２の画像ソースデータと設定値による演算結果を示す。
【０１７０】
すなわち、第１の画像ソースのデータＡ１、Ａ２、Ａ３、Ａ４・・・に対して設定値ａを演算した値Ａ１×ａ、Ａ２×ａ・・・が、第１の画像ソース出力として図１６に示すタイミングで出力され、第２の画像ソースのデータＢ１、Ｂ２、Ｂ３、Ｂ４・・・に対して設定値ｂを演算した値Ｂ１×ｂ、Ｂ２×ｂ・・・が、第２の画像ソース出力として図１６に示すタイミングで出力される。
【０１７１】
‘第１の画像ソース出力’は図１４の画質調整回路５１から出力され、画像４６を制御し駆動するための表示パネル駆動回路５３に入力される。‘第２の画像ソース出力’も同様に画質調整回路５１から出力され、画像４７を制御しかつ駆動するための表示パネル駆動回路５３に入力される。
【０１７２】
以上の制御により、画質調整回路５１によって２個の画像４６、４７の画質が独立して制御される。ブライトネス、コントラストなどの画質調整は演算器を用いて行うもので、それぞれの演算回数が異なるため、実際のタイミングは図１８に示すタイミングチャートとは若干異なったものとなるが、基本的な動作は同じである。
【０１７３】
ついで、添付図面（図１９〜図３７）を参照しながら、本発明のより具体的な実施形態（実施例）を説明する。
【０１７４】
図１９は、本発明の第３の実施形態に係るマルチビュー表示装置の概略構成を示すブロック図であり、図２０は、図１９の表示部の断面形状を概略的に示す図である。
【０１７５】
ここでは、個々に画質の調整がなされた画像ソースからの２種類の画像データをＶＲＡＭ（Video RAM）７３に書き込むことにより、互いに独立した２種類の画像を同一のマルチビュー表示パネル２０の画面に同時に表示するような車載用のマルチビュー表示装置の構成を簡略化して示す。
【０１７６】
図１７の第３の実施形態に係るマルチビュー表示装置においては、車両の運転席および助手席に対してマルチビュー表示を行わせるための表示部１０ａが設けられている。この表示部１０ａでは、運転席等の第１の方向から観察される第１の画像と助手席等の第２の方向から観察される第２の画像とが、同一のマルチビュー表示パネル２０に対してそれぞれ同時に表示される。
【０１７７】
マルチビュー表示パネル１０ａの右側から見るユーザ（例えば、運転者）には、第１の画像が観察され、左側から見るユーザ（例えば、助手席にいる乗員）には第２の画像が観察される。右側のユーザには第２の画像は観察できず、左側のユーザには第１の画像は観察できない。このため、右側のユーザは、左側のユーザの視線を気にすることなく自身の好みの画像を見ることができ、左側のユーザは右側のユーザの視線を気にすることなく自身の好みの画像を見ることができる。
【０１７８】
さらに、図１９の表示部１０ａは、液晶表示パネル１１ａの表面側に光学系分離素子１３aが設けられてマルチビュー表示パネル２０が形成され、さらにその前面にタッチパネル１２ａが形成された構造となっている。なお、原理的には、液晶表示パネル１１ａ以外に、ＣＲＴ（Cathode Ray Tube：陰極線管）やプラズマ・ディスプレイ・パネル（Plasma Display Panel）等からなる表示器を用いることもでき、また一方で、光学系分離素子１３ａについては、液晶シャッタで構成してアクティブなもの（例えば、可変シャッタ）とすることも可能である。
【０１７９】
図２０に示すように、タッチパネル１２ａは、可撓性を有する一対の透明絶縁基板１２０ａ、１２８ａ、上記一対の透明絶縁基板上に形成された透明電極１２２ａ、１２６ａ、および上記透明電極上にマトリックス状に配置されたドットスペーサ１２４ａ等から構成される。ユーザが透明絶縁基板１２０ａ上を押圧することによってドットスペーサ１２４ａが透明電極１２６ａに接触すると、その接点の位置が電気抵抗の測定により検出され、図１９のＣＰＵ７ａにおいて、入力情報が読み取られるように構成されている。なお、タッチパネル１２ａは、上記の構成に限定されるものではなく、他の方式のものを採用することも可能である。
【０１８０】
図２０の液晶表示パネル１１ａは、液晶表示素子により構成されており、縦方向に複数の帯状部の表示領域に分割され、第１の画像に対応する第１の表示領域１１０ａと、第２の画像に対応する第２の表示領域１１２ａとが交互に形成されている。前述のように、図２０の液晶表示パネル１１ａの表面側に、光学系分離素子１３ａが配置されマルチビュー表示パネル２０が形成される。そして、液晶表示パネル１１ａの表示素子は、表示パネル駆動回路７４により駆動制御される。
【０１８１】
光学系分離素子１３ａは、運転席から観察される第１の画像と、助手席から観察される第２の画像とを所定の視野角で分離してマルチビュー表示を行わせる機能を有しており、ポリカーボネイト等から形成される透明カバー（または透明絶縁基板）１３０ａを有する。この透明カバー１３０ａの表裏の面には、複数の遮光部１３１ａ、１３３ａが交互に形成され、その結果として、複数の透光性スリット部１３２ａ、１３４ａが交互に形成されている。なお、図２０では、透明カバー１３０ａの表裏の面に複数の遮光部および複数の透光性スリット部を形成する例が示されているが、透明カバー１３０ａの一方の面のみに、複数の遮光部および複数の透光性スリット部を形成することも可能である。
【０１８２】
図２０に示すように、運転席を含む第１視野領域内の第１の乗員（例えば、運転者）１７１は、光学系分離素子１３ａの作用によって、第１の表示領域１１０ａの集合体としての画像のみを運転席用の第１の画像として視認することができ、助手席を含む第２視野領域内の第２の乗員（例えば、助手席にいる乗員）１７２ａは、光学系分離素子１３ａの作用によって、第２の表示領域１１２ａの集合体としての画像のみを助手席用の第２の画像として視認することができる。このように実際は、１つの画面を縦方向に複数分割した１つおきの画像を視認することとなるが、１つの表示領域の幅を非常に狭くすることによって、運転席側からも、助手席側からも別々の画像をそれぞれ同時に視認することが可能になる。
【０１８３】
好ましくは、予め設定された厚さおよび幅を有する透光性スリット部を使用して、マルチビューにおける視認角度や視認範囲や、クロストーク等が決定される。
【０１８４】
図１９のマルチビュー表示装置において、画像ソースの例として、テレビ受像機２１やナビゲーション装置２２、ＤＶＤ再生機３２等が設けられ、それぞれが異なった方向から観察できる画像ソースとなっている。
【０１８５】
さらに、図１９のマルチビュー表示装置においては、表示パネル駆動部４０が設けられている。この表示パネル駆動部４０は、表示することが選択された画像ソースから送出される画像データ（異なった画像ソースの画像も表示する場合は、選択された２つの画像ソースの画像データ）を処理してマルチビュー表示パネル２０を駆動する信号を生成し、それぞれ対応する第１の画像および第２の画像をマルチビュー表示パネル２０のそれぞれの領域にそれぞれ表示させる。
【０１８６】
より詳しくいえば、図１９の表示パネル駆動部４０は、各画像ソースから送出される画像データが同時に入力される分配回路６０を備えている。この分配回路６０では、ユーザが選択した画像ソースの２種類の画像データ（第１の画像データ、および第２の画像データとして選択、なお、上記画像データが同じ場合もある）が次段に出力される。
【０１８７】
さらに、図１９の表示パネル駆動部４０は、第１の画像が表示される領域に表示される第１の画像の画質の調整を行う第１の画質調整回路６１と、第２の画像が表示される領域に表示される第２の画像の画質の調整を行う第２の画質調整回路６２とを備えている。ここで、第１の画質調整回路６１による第１の画像の画質の調整と、第２の画質調整回路６２による第２の画像の画質の調整とは、互いに独立して遂行される。上記の第１および第２の画質調整回路６１、６２による画質調整方法としては、アナログ的に行う方法もあるが、入力された画像データをディジタル化して処理用のメモリ（図示されていない）に記憶し、そのメモリに記憶された画像データを演算処理することにより画質調整を行うのが実際上好ましい。
【０１８８】
さらに、図１９の表示パネル駆動部４０は、第１の書込回路７１と、第２の書込回路７２と、ＶＲＡＭ７３と、表示パネル駆動回路７４とを備えている。ここで、第１の書込回路７１は、第１の画質調整回路６１で処理された画像データの内、画像の奇数列（マルチビュー表示パネル１１ａの画面の奇数列）に対応する画像データをＶＲＡＭ７３における該当する領域に書き込み、第２の書込回路７２は、第２の画質調整回路６２で処理された画像データの内、画像の偶数列（マルチビュー表示パネル１１ａの画面の偶数列）に対応する画像データをＶＲＡＭ７３における該当する領域に書き込む。
【０１８９】
表示パネル駆動回路７４は、液晶表示パネル１１ａを駆動するドライバ回路であり、ＶＲＡＭ７３に保持されている画像データ（第１の画像データと第２の画像データの合成データ）に基づいて、液晶表示パネル１１ａの対応する画素を駆動する。既に説明したように、ＶＲＡＭ７３には、マルチビュー表示用の画像に対応するように画像データの書き込みが行われているので、駆動回路は１つでよく、その動作も通常の液晶表示装置の駆動回路の動作と同じである。
【０１９０】
さらに、図１９の表示パネル駆動部４０は、分配回路６０、第１の画質調整回路６１、第２の画質調整回路６２、第１の書込回路７１、第２の書込回路７２、ＶＲＡＭ７３、および表示パネル駆動回路７４の動作を統括的に制御するためのマイクロコンピュータのＣＰＵ７ａを備えている。このＣＰＵ７ａには、表示装置の動作に必要な各種のプログラムを保持するＲＯＭ等のプログラム記憶部６９と、各種のデータを保持するＲＡＭ等のデータ記憶部とが設けられている。なお、ここでは、ＲＯＭやＲＡＭ等をＣＰＵの外部に設けているが、ＣＰＵに内蔵のＲＯＭやＲＡＭ等を使用することも可能である。
【０１９１】
さらに、図１９のマルチビュー表示装置においては、各種のデータを入力するための押釦スイッチやリモコンの操作キー等の操作部２７や、第１の画像または第２の画像の画質の調整状態を選択するための選択部（例えば、選択ボタン等）２８を含む入力部２６が設けられている。このような入力部２６として、画質調整操作指示部、画質調整操作完了指示部、画質調整操作部等が挙げられ、選択部２８として、画質調整複写操作部、モード切替操作部、画質調整入替操作部、画質調整設定値登録操作部、画質調整設定値読出操作部（例えば、プリセットスイッチ）等が挙げられる。なお、選択部２８は、前述したタッチパネルの操作部２６に含まれる。また、前述の画質調整設定値登録操作部と画質調整設定値読出操作部とを兼用する画質調整設定値登録／読出操作部を設け、操作状態（長釦／短釦）で機能（登録指示／読出指示）を切り替える場合もある。
【０１９２】
また、画質関係のデータ記憶部として、第１の画像または／および第２の画像の画質調整設定値をプリセット値として予めまたは後述する登録処理により保持するプリセットＲＡＭ（すなわち、プリセット保持部）６６や、第１の画像および第２の画像の画質調整設定値がそれぞれ書き込まれる第１の画面ＲＡＭ６４および第２の画面ＲＡＭ６５（画質調整状態記憶部６３）や、第１の画像および第２の画像の各画質調整状態の頻度に関する情報を記憶する画質設定情報記憶部６７や、周囲環境に対して設定される第１の画像および第２の画像の画質の調整状態を保持する対環境調整値保持部６８が挙げられる。
【０１９３】
例えば、画質設定情報記憶部６７として、第１の画像における画質調整値による調整頻度と、第２の画像における画質調整設定値による調整頻度を記憶する調整頻度記憶部が挙げられる。
【０１９４】
より詳しくいえば、プリセットＲＡＭ６６には、操作部２７の画質調整設定値読出操作部（例えば、プリセットスイッチ）に対応して第１の画像または／および第２の画像の画質調整設定値が記憶されるようになっている。そして、画質調整設定値読出操作部（例えば、プリセットスイッチ）が操作されれば、該当する画質調整設定値が読み出され、第１の画面ＲＡＭ６４または第２の画面ＲＡＭ６５に書き込まれ（選択された画面側に対応する）、第１の画像または／および第２の画像の画質がその画質調整設定値に基づき調整されることになる。また一方で、操作部２７の画質調整設定値登録操作部（例えば、登録スイッチ）および画質調整設定値読出操作部（例えば、プリセットスイッチ）が操作されれば、第１の画像用ＲＡＭ６４または／および第２の画像用ＲＡＭ６５に書き込まれている画質調整設定値がプリセットＲＡＭ６６における画質調整設定値読出操作部（例えば、プリセットスイッチ）に該当する領域に書き込まれる。なお、プリセットＲＡＭ６６内のプリセット調整値の一部をメーカで設定した固定値とする方法も有用である。なお、前述したように、画質調整設定値登録操作部と画質調整設定値読出操作部とを兼用する画質調整設定値登録／読出操作部を設け、操作状態（長釦／短釦）で機能（登録指示／読出指示）を切り替えてもよい。その場合は、画質調整設定値読出操作部の操作毎に、プリセットＲＡＭ６６の操作された画質調整設定値読出操作部に対応する領域に保持された画質調整設定値がサイクリックに読み出される。
【０１９５】
さらに、図１９のマルチビュー表示装置においては、運転席側および助手席側の周囲環境の変化を検出する周囲環境センサ（例えば、明るさセンサ等）１７を含む各種のセンサ１６ａが配置されている。なお、周囲環境センサは、運転席側および助手席側の周囲環境の変化を共通に検出するための１つの周囲環境センサであってもよいし、運転席側および助手席側の周囲環境の変化をそれぞれ別々に検出するための複数の周囲環境センサであってもよい。
【０１９６】
図１９のマルチビュー表示装置によれば、運転席等から観察される第１の画像の画質の調整と、助手席等から観察される第２の画像の画質の調整とをそれぞれ独立して行う２種類の画質調整回路を設け、画質が調整された各々の画像データをＶＲＡＭ７３に書き込むことによって、運転席側と助手席側とで互いに独立した画像を表示することが可能になる。
【０１９７】
なお、図１９のマルチビュー表示装置においては、第１の音量・音質調整回路８１、第１の音量・音質調整回路８２、分配回路８３、第１のスピーカ９１、第２のスピーカ９２、およびヘッドホン９３が設けられている。
【０１９８】
より詳しくいえば、第１の音量・音質調整回路８１は、画像ソースの第１の画像データに対応する第１の音響信号の音量・音質の調整を行う機能を有しており、第２の音量・音質調整回路８２は、画像ソースの第２の画像データに対応する第２の音響信号の音量・音質の調整を行う機能を有している。ここで、第１の音量・音質調整回路８１による第１の音響信号の音量・音質の調整と、第２の音量・音質調整回路８２による第２の音響信号の音量・音質の調整とは、互いに独立して遂行される。分配回路８３は、第１の画像および第２の画像の各画像に対する音声をどのスピーカから出力するかを制御するものであり、上記の各画像に対する音声を切り替えたり、混合したりする。
【０１９９】
分配回路８３から出力される音響信号は、指定された第１のスピーカ９１、第２のスピーカ９２およびヘッドホン９３により出力することによって、運転席側と助手席側とで互いに独立した音響信号の音質・音量の調整を行うことが可能になる。
【０２００】
なお、音響信号の音質・音量の調整に関しても、前述の画質調整の場合と同様の方法により、音質・音量の調整値のプリセット制御が可能である。この場合、操作したプリセットスイッチに対応した音質・音量のプリセット調整値が第１の音質・音量調整回路８１または第２の音質・音量調整回路８２に入力される。
【０２０１】
図２１は、２種類の画像データをＶＲＡＭ７３に書き込む様子を示す模式図である。図１９にて説明したように、運転席Ｄから観察される第１の画像に対応する第１の画像データの画質の調整は、第１の画質調整回路６１により遂行され、助手席から観察される第２の画像に対応する第２の画像データの画質の調整は、上記の第１の画質調整回路６１とは別個の第２の画質調整回路６２により遂行される。
【０２０２】
図２１に示すように、第１の画質調整回路６１により画質調整がなされた第１の画像データＩＤ−１は、第１の書込回路７１（図１９参照）を介してＶＲＡＭ７３に書き込まれると共に、第２の画質調整回路６２により画質調整がなされた第２の画像データＩＤ−２は、第２の書込回路７２（図１９参照）を介してＶＲＡＭ７３に書き込まれる。ここで、画質調整後の第１の画像データＩＤ−１および画質調整後の第２の画像データＩＤ−２は、１ライン毎に交互に同一のＶＲＡＭ７３に書き込まれる。換言すれば、ＶＲＡＭ７３において、第１の画像データＩＤ−１は、例えば奇数番目の列の１つおきのアドレスに従って、Ｄ１、Ｄ３、Ｄ５…のように書き込まれる。また一方で、第２の画像データＩＤ−２は、例えば偶数番目の列の１つおきのアドレスに従って、Ｐ２、Ｐ４、Ｐ６…のように書き込まれる。
【０２０３】
そして、ＶＲＡＭ７３に保持されている第１の画像データＩＤ−１および第２の画像データＩＤ−２からなる合成画像が、表示パネル駆動回路７４（図１９参照）により、表示部１０ａに表示される。つまり最終的に、第１の画像データＩＤ−１および第２の画像データＩＤ−２は、表示部１０ａ上の液晶表示パネル１１ａの第１の表示領域１１０ａおよび第２の表示領域１１２ａにそれぞれ表示される。
【０２０４】
図２２および図２３は、ＣＰＵ７ａの画質調整処理を説明するためのフローチャートのその１およびその２である。この処理は、図１９のＣＰＵ７ａが、入力部２６（操作部２７）からの画質調整開始指示を検出したときに実行する。つまり、ユーザ（利用者）によって、外部入力装置（ＣＰＵ７ａ）の画質調整開始指示操作部が操作されると、本フローチャートが実行される。なお、図２２のステップＳ２２ｃ、Ｓ２２ｄは、独立モードでの画質調整処理であり、ステップＳ２２ｅ、Ｓ２２ｆは、独立モードでの画質複写処理であり、ステップＳ２２ｇ、Ｓ２２ｈは、独立モードでのプリセット処理であり、ステップＳ２２ｉ、Ｓ２２ｊは、独立モードでのプリセット読出処理であり、図２３のステップＳ２２ｋ、Ｓ２２ｌは、共通モードでの画質調整処理であり、ステップＳ２２ｍ、Ｓ２２ｎは、共通モードでの画質入替複写処理であり、ステップＳ２２ｏ、Ｓ２２ｐは、共通モードでのプリセット処理であり、ステップＳ２２ｑ、Ｓ２２ｒは、共通モードでのプリセット読出処理である。
【０２０５】
まず、後述する画質調整用画像の表示指示を画質調整回路、書込回路に出力してステップＳ２２ｂに進む（ステップＳ２２ａ）。
【０２０６】
次に、入力部２６（選択部２８）のモード切替操作部からのモード指示を検出し、マルチビュー表示装置の現在のモードが、複数の画像の画質を独立して別個に調整する独立モードであるか、または、複数の画像の画質を共通に調整する共通モードであるかを判定し、独立モードである場合にはステップＳ２２ｃに進み、共通モードである場合にはステップＳ２２ｋに進む。つまり、ステップＳ２２ｂでは、ユーザ（利用者）の入力部２６（選択部２８）のモード切替操作部の操作状態を判定し、独立モードである場合にはステップＳ２２ｃに進み、共通モードである場合には図２３のステップＳ２２ｋに進む。
【０２０７】
次に、図２２を参照しながら、独立モードでの画質調整操作部からの調整指示による画質調整処理を説明する。
ステップＳ２２ｃでは、入力部２６（操作部２７）から画質調整指示が入力されたか否かを判定し、画質調整指示が入力された場合にはステップＳ２２ｄに進み、入力されない場合にはステップＳ２２ｅに進む。つまり、ステップＳ２２ｃでは、ユーザ（利用者）が入力部２６（操作部２７）の画質調整操作部を用いて画質調整操作を行った場合にはステップＳ２２ｄに進み、そうでない場合にはステップＳ２２ｅに進む。
【０２０８】
ステップＳ２２ｄでは、入力部２６（操作部２７）から画質調整指示に応じて画質調整設定値を調整し、画質調整対象画像に対応する画質調整状態記憶部６３（第１の画面ＲＡＭ６４または第２の画面ＲＡＭ６５）に保持されている画質調整設定値を調整された画質調整設定値で書き替えると共に、調整された画質調整設定値に対応する画質調整指示を、画質調整対象画像に対応する画質調整回路（第１の画質調整回路６１または第２の画質調整回路６２）に出力してステップＳ２２ｓに進む。つまり、ステップＳ２２ｄでは、第１の画像が画質調整対象画像である場合、入力部２６（操作部２７）の画質調整操作部からの画質調整指示（ユーザの画質調整操作）に応じて、第１の画面ＲＡＭ６４の画質調整設定値を書き替えると共に、第１の画面ＲＡＭ６４に書き込まれた画質調整設定値に対応する画質調整指示を第１の画質調整回路６１に送信して第１の画像の画質を変更し、第２の画像が画質調整対象画像である場合、入力部２６（操作部２７）の画質調整操作部からの画質調整指示（ユーザの画質調整操作）に応じて、第２の画面ＲＡＭ６５の画質調整設定値を書き替えると共に、第２の画面ＲＡＭ６５に書き込まれた画質調整設定値に対応する画質調整指示を第２の画質調整回路６２に送信して第２の画像の画質を変更してステップＳ２２ｓに進む。
【０２０９】
次に、独立モードでの画質複写操作部からの複写指示による画質調整処理を説明する。  ステップＳ２２ｅでは、入力部２６（選択部２８）から画質調整設定値複写指示が入力されたか否かを判定し、画質調整設定値複写指示が入力された場合にはステップＳ２２ｆに進み、入力されない場合にはステップＳ２２ｇに進む。つまり、ステップＳ２２ｅでは、ユーザ（利用者）が入力部２６（選択部２８）の画質複写操作部を用いて画質複写操作を行った場合にはステップＳ２２ｆに進み、そうでない場合にはステップＳ２２ｇに進む。
【０２１０】
ステップＳ２２ｆでは、画質調整対象以外の画像（例えば、第２の画像）の画質調整設定値を、画質調整対象画像に対応する画質調整状態記憶部６３（例えば、第２の画面ＲＡＭ６５）から読み出し、画質調整対象画像（例えば、第１の画像）に対応する画質調整状態記憶部６３（例えば、第１の画面ＲＡＭ６４）の画質調整設定値を、画質調整対象以外の画像（例えば、第２の画像）に対応する画質調整状態記憶部６３（例えば、第２の画面ＲＡＭ６５）から読み出した画質調整設定値で書き替えると共に、画質調整対象画像に対応する画質調整回路（例えば、第１の画質調整回路６１）に書き替えられた画質調整設定値に対応する画質調整指示を出力し、ステップＳ２２ｓに進む。つまり、画質調整対象画像（例えば、第１の画像）の画質が、画質調整対象以外の画像（例えば、第２の画像）の画質に変更される。
【０２１１】
本処理では、前述の図１９のマルチビュー表示装置に設けられている画質複写操作部のユーザ（利用者）の操作によって、画質調整設定値の複写指示が行われると、第１の画像または第２の画像のいずれか一方の画像（画質調整対象画像）の画質の画質調整設定値が、他方の画像（画質調整対象以外の画像）の画質調整設定値に変更されるように処理される。具体的には、第１の画像の画質調整状態（画質調整設定値）を第２の画像の画質調整状態（画質調整設定値）に変更する場合、第２の画面ＲＡＭ６５の記憶値（画質調整設定値）で第１の画面ＲＡＭ６４の画質調整設定値を書き替えるようにしている（あるいは、第２の画像の画質調整状態（画質調整設定値）を第１の画像の画質調整状態（画質調整設定値）に変更する場合、第１の画面ＲＡＭ６４の記憶値（画質調整設定値）で第２の画面ＲＡＭ６５の画質調整設定値を書き替えるようにしている）。この処理により、運転者が座席を変わるときに、好みの画質をそのまま引き継ぐことができる。
【０２１２】
次に、独立モードでの画質調整設定値登録操作部からの登録指示によるプリセット処理を説明する。
ステップＳ２２ｇでは、入力部２６（選択部２８）から画質調整設定値の登録指示が入力されたか否かを判定し、登録指示が入力された場合にはステップＳ２２ｈに進み、登録指示が入力されない場合にはステップＳ２２ｉに進む。つまり、ステップＳ２２ｇでは、ユーザ（利用者）が入力部２６（選択部２８）に設けられた画質調整設定値登録操作部（例えば、プリセットスイッチ）を用いて画質調整設定値の登録操作を行った場合にはステップＳ２２ｈに進み、そうでない場合にはステップＳ２２ｉに進む。画質調整設定値の登録操作は、前述したようにプリセットスイッチの操作、プリセットスイッチ＋登録スイッチの操作等、適宜変更可能である。
【０２１３】
ステップＳ２２ｈでは、画質調整対象画像に対応する画質調整状態記憶部６３に記憶されている画質調整設定値を読み出し、操作された画質調整設定値登録操作部に対応するプリセットＲＡＭ６６の領域に書き込み、ステップＳ２２ｓに進む。
【０２１４】
つまり、第１の画像が画質調整対象画像である場合、入力部２６（選択部２８）から登録指示（ユーザの登録操作）により、第１の画面ＲＡＭ６４に記憶されている画質調整設定値が、操作された画質調整設定値登録操作部に対応するプリセットＲＡＭ６６に書き込まれる（あるいは、第２の画像が画質調整対象画像である場合、第２の画面ＲＡＭ６５に記憶されている画質調整設定値が、操作された画質調整設定値登録操作部に対応するプリセットＲＡＭ６６に書き込まれる）。なお、画質調整設定値登録操作部に対応するプリセットＲＡＭ６６の領域に書き込まれる画質調整設定値は、１つでもよいし、複数でもよい。さらに、プリセットＲＡＭ６６の領域に書き込まれる画質調整設定値は、各画像毎に登録可能であってもよく、画像に関係なく、共通に記憶可能であってもよい。
【０２１５】
次に、独立モードでの画質調整設定値読出操作部からの読出指示による画質調整処理を説明する。
ステップＳ２２ｉでは、入力部２６（選択部２８）から画質調整設定値読出操作部（例えば、プリセットスイッチ）からの読出指示が入力されたか否かを判定し、読出指示が入力された場合にはステップＳ２２ｊに進み、読出指示が入力されない場合にはステップＳ２２ｓに進む。つまり、ステップＳ２２ｉでは、ユーザ（利用者）が入力部２６（選択部２８）に設けられた画質調整設定値読出操作部を用いて画質調整設定値読出操作を行った場合にはステップＳ２２ｊに進み、行われない場合にはステップＳ２２ｓに進む。
【０２１６】
ステップＳ２２ｊでは、操作された画質調整設定値読出操作部に対応するプリセット保持部（プリセットＲＡＭ６６）の領域に記憶されている画質調整設定値を読み出し、読み出された画質調整設定値で、画質調整対象画像（例えば、第１の画像）に対応する画質調整状態記憶部６３（例えば、第１の画面ＲＡＭ６４）の画質調整設定値を書き替えると共に、書き込まれた画質調整設定値に対応する画質調整指示を、画質調整対象画像に対応する画質調整回路（例えば、第１の画質調整回路６１）に出力する。このようにして、画質調整対象画像の画質調整設定値が、プリセットＲＡＭ６６の領域に記憶されている所定の画質調整設定値に書き替わる。
【０２１７】
本処理では、前述の図１９のマルチビュー表示装置において、画質調整設定値読出操作部（例えば、プリセットスイッチ）の操作が行われると、操作された画質調整設定値読出操作部（例えば、プリセットスイッチ）に対応するプリセットＲＡＭ６６の領域に記憶されている画質調整設定値が読み出され、画質調整対象画像（第１の画像あるいは第２の画像）の画質調整設定値の設定を行うように構成される。このような構成では、前述のように、プリセットＲＡＭ６６に予め保持（メーカプリセット、ユーザプリセット）されている画質調整設定値により各々の画像における画質の調整が容易に行える。前述のように、画質調整設定値読出操作部に対応して複数の画質調整設定値が記憶されている場合、画質調整設定値読出操作部の操作毎に、記憶されている画質調整設定値がサイクリックに読み出されるようにしてもよい。
【０２１８】
次に、図２３を参照しながら、共通モードでの画質調整操作部からの調整指示による画質調整処理を説明する。
図２３のステップＳ２２ｋでは、入力部２６（操作部２７）から画質調整指示が入力されたか否かを判定し、画質調整指示が入力された場合にはステップＳ２２ｌに進み、入力されない場合にはステップＳ２２ｍに進む。つまり、ステップＳ２２ｋでは、ユーザ（利用者）が入力部２６（操作部２７）の画質調整操作部を用いて画質調整操作を行った場合にはステップＳ２２ｌに進み、そうでない場合にはステップＳ２２ｍに進む。
【０２１９】
ステップＳ２２ｌでは、入力部２６（操作部２７）から画質調整指示に応じて画質調整設定値を調整し、画質調整状態記憶部６３（第１の画面ＲＡＭ６４および第２の画面ＲＡＭ６５）に保持されている画質調整設定値を調整された画質調整設定値で書き替えると共に、調整された画質調整設定値に対応する画質調整指示を、画質調整回路（第１の画質調整回路６１および第２の画質調整回路６２）に出力して図２２のステップＳ２２ｓに進む。つまり、ステップＳ２２ｌでは、第１の画像が画質調整対象画像である場合、入力部２６（操作部２７）の画質調整操作部からの画質調整指示（ユーザの画質調整操作）に応じて、第１の画面ＲＡＭ６４および第２の画面ＲＡＭ６５の画質調整設定値を書き替えると共に、第１の画面ＲＡＭ６４および第２の画面ＲＡＭ６５に書き込まれた画質調整設定値に対応する画質調整指示を第１の画質調整回路６１および第２の画質調整回路６２に送信して第１の画像および第２の画像の画質を変更してステップＳ２２ｓに進む。なお、ステップＳ２２ｌの画質調整は、第１の画像および第２の画像を同じ画質（第１の画面ＲＡＭ６４と第２の画面ＲＡＭ６５の各々が同じ値）になるように調整してもよいし、あるいは、各画像の画質調整設定値を、同じ方向（プラス方向またはマイナス方向）に同じ値だけ調整してもよい。
【０２２０】
次に、共通モードでの画質複写操作部からの複写指示による画質調整処理を説明する。  ステップＳ２２ｍでは、入力部２６（選択部２８）から画質調整設定値複写指示が入力されたか否かを判定し、画質調整設定値複写指示が入力された場合にはステップＳ２２ｎに進み、入力されない場合にはステップＳ２２ｏに進む。つまり、ステップＳ２２ｍでは、ユーザ（利用者）が入力部２６（選択部２８）の画質複写操作部を用いて画質複写操作を行った場合にはステップＳ２２ｎに進み、そうでない場合にはステップＳ２２ｏに進む。
【０２２１】
ステップＳ２２ｎでは、１つの画像（例えば、第１の画像）の画質調整設定値を、１つの画像（例えば、第１の画像）に対応する画質調整状態記憶部６３（例えば、第１の画面ＲＡＭ６４）から読み出すと共に、他の画像（例えば、第２の画像）の画質調整設定値を、他の画像（例えば、第２の画像）に対応する画質調整状態記憶部６３（例えば、第２の画面ＲＡＭ６５）から読み出す。そして、読み出された１つの画像（例えば、第１の画像）の画質調整設定値で、他の画像（例えば、第２の画像）に対応する画質調整状態記憶部６３（例えば、第２の画面ＲＡＭ６５）に保持されている画質調整設定値を書き替え、書き替えられた画質調整設定値に対応する画質調整指示をそれぞれに対応する画質調整回路に出力して図２２のステップＳ２２ｓに進む。このようにして、１つの画像（例えば、第１の画像）の画質が他の画像（例えば、第２の画像）の画質に変更されると共に、他の画像（例えば、第２の画像）の画質が１つの画像（例えば、第１の画像）の画質に変更される。なお、ステップＳ２２ｍでは、各画像に対応する各画質調整設定値を、各画質調整状態記憶部６３（第１の画面ＲＡＭ６４および第２の画面ＲＡＭ６５）から一旦読み出し、各画質調整状態記憶部６３（第１の画面ＲＡＭ６４および第２の画面ＲＡＭ６５）の画質調整設定値を書き替えるように処理しているが、画質調整状態記憶部の定義を変更（第１の画面ＲＡＭ６４を第２の画面ＲＡＭ６５に切り替えること、および第２の画面ＲＡＭ６５を第１の画面ＲＡＭ６４に切り替えること）するようにしてもよい。
【０２２２】
本処理では、前述の図１９のマルチビュー表示装置に設けられている画質入替操作部のユーザ（利用者）の操作によって、画質調整設定値の入替指示が行われると、第１の画像の画質の画質調整状態（画質調整設定値）が、第２の画像の画質調整状態（画質調整設定値）に変更されると共に、第２の画像の画質の画質調整状態（画質調整設定値）が、第１の画像の画質調整状態（画質調整設定値）に変更されるようにする。つまり、第１の画面ＲＡＭ６４の値と第２の画面ＲＡＭ６５の値とを入れ替える。この処理により、例えば長時間運転等で運転者と助手席にいる乗員とが変わる場合等に、各々の好みの画質を引き継ぐことが可能になる。
【０２２３】
次に、共通モードでの画質調整設定値登録操作部からの登録指示によるプリセット処理を説明する。
ステップＳ２２ｏでは、入力部２６（選択部２８）から画質調整設定値の登録指示が入力されたか否かを判定し、登録指示が入力された場合にはステップＳ２２ｐに進み、登録指示が入力されない場合にはステップＳ２２ｑに進む。つまり、ステップＳ２２ｏでは、ユーザ（利用者）が入力部２６（選択部２８）に設けられた画質調整設定値登録操作部（例えば、プリセットスイッチ）を用いて画質調整設定値の登録操作を行った場合にはステップＳ２２ｐに進み、登録操作が行われない場合にはステップＳ２２ｑに進む。画質調整設定値の登録操作は、前述したようにプリセットスイッチの操作、プリセットスイッチ＋登録スイッチの操作等、適宜変更可能である。
【０２２４】
ステップＳ２２ｐでは、画質調整状態記憶部６３（第１の画面ＲＡＭ６４および第２の画面ＲＡＭ６５）に記憶されている画質調整設定値を読み出し、操作された画質調整設定値登録操作部に対応するプリセットＲＡＭ６６の領域に書き込み、図２２のステップＳ２２ｓに進む。
【０２２５】
つまり、入力部２６（選択部２８）から登録指示（ユーザの登録操作）により、第１の画面ＲＡＭ６４に記憶されている画質調整設定値および第２の画面ＲＡＭ６５に記憶されている画質調整設定値が、操作された画質調整設定値登録操作部に対応するプリセットＲＡＭ６６に書き込まれる。なお、画質調整設定値登録操作部に対応するプリセットＲＡＭ６６の領域に書き込まれる画質調整設定値は、１つでもよいし、複数でもよい。さらに、プリセットＲＡＭ６６の領域に書き込まれる画質調整設定値は、各画像毎に登録可能であってもよく、画像に関係なく、共通に記憶可能であってもよい。
【０２２６】
次に、共通モードでの画質調整設定値読出操作部からの読出指示による画質調整処理を説明する。
ステップＳ２２ｑでは、入力部２６（選択部２８）から画質調整設定値読出操作部（例えば、プリセットスイッチ）からの読出指示が入力されたか否かを判定し、読出指示が入力された場合にはステップＳ２２ｒに進み、読出指示が入力されない場合には図２２のステップＳ２２ｓに進む。つまり、ステップＳ２２ｑでは、ユーザ（利用者）が入力部２６（選択部２８）に設けられた画質調整設定値読出操作部を用いて画質調整設定値読出操作を行った場合にはステップＳ２２ｒに進み、行われない場合にはステップＳ２２ｓに進む。
【０２２７】
ステップＳ２２ｒでは、操作された画質調整設定値読出操作部に対応するプリセット保持部（プリセットＲＡＭ６６）の領域に記憶されている画質調整設定値を読み出し、読み出された画質調整設定値で、第１の画像および第２の画像に対応する画質調整状態記憶部６３（例えば、第１の画面ＲＡＭ６４および第２の画面ＲＡＭ６５）の画質調整設定値を書き替えると共に、書き込まれた画質調整設定値に対応する画質調整指示を、各々対応する画質調整回路（例えば、第１の画質調整回路６１および第２の画質調整回路６２）に出力する。このようにして、第１の画像および第２の画像に対応する画質調整設定値が、プリセットＲＡＭ６６の領域に記憶されている所定の画質調整設定値に書き替わる。
【０２２８】
本処理では、前述の図１９のマルチビュー表示装置において、画質調整設定値読出操作部（例えば、プリセットスイッチ）の操作が行われると、操作された画質調整設定値読出操作部（例えば、プリセットスイッチ）に対応するプリセットＲＡＭ６６の領域に記憶されている画質調整設定値が読み出され、第１の画像あるいは第２の画像の画質調整設定値の設定を行うように構成される。このような構成では、前述のように、プリセットＲＡＭ６６に予め保持（メーカプリセット、ユーザプリセット）されている画質調整設定値により各々の画像における画質の調整が容易に行える。前述のように、画質調整設定値読出操作部に対応して複数の画質調整設定値が記憶されている場合、画質調整設定値読出操作部の操作毎に、記憶されている画質調整設定値がサイクリックに読み出されるようにしてもよい。また、前述のように、各画像毎に異なる画質調整設定値が画質調整設定値読出操作部に保持されている場合には、各画像で異なる画質調整設定値が読み出される。
【０２２９】
さらに、図２２のステップＳ２２ｓでは、入力部２６（操作部２７）からの画質調整完了指示が入力されたか否かを検出し、完了指示が入力された場合には処理を終了し、完了指示が入力されない場合にはステップＳ２２ｂに戻る。つまり、ステップＳ２２ｓでは、ユーザ（利用者）が入力部２６（操作部２７）に設けられた画質調整完了操作部を用いて画質調整完了操作を行った場合には処理を終了し、行われない場合（画質調整設定値が良好でない場合）にはステップＳ２２ｂに戻り、上述の処理を繰り返す。なお、画質調整完了指示の検出方法として、入力部２６（操作部２７）に設けられた画質調整完了操作部からの画質調整完了指示の入力を検出するのではなく、入力部２６の最後の操作から所定時間経過した場合に、画質調整完了であると判別してもよい。
【０２３０】
前述のように、独立モードまたは共通モードを選択することができるようになっているので、状況により、全表示領域の画質調整（同じ画質、同じ方向への調整）を統合して行ったり、各画像で独立して画質を調整したりすることができる。
【０２３１】
なお、前述の複写処理は、共通モードに設けられてもよく、前述の入替処理は、単独モードに設けられてもよい。
【０２３２】
次に、前述の画質調整用画像について説明する。図２４〜図２７は、画質調整用画像の表示例を示す図のその１〜その４である。
【０２３３】
より詳しくいえば、図２４の（ａ）は、表示部１０ａの画質調整対象画像が表示される領域の全領域に画質調整用画像が表示される例を示す図であり、図２４の（ｂ）は、表示部１０ａの画質調整対象画像が表示される領域に画質調整対象画像と画質調整用画像とが同時に表示される例を示す図であり、図２５の（ａ）は、特定画像の一例を示す図であり、図２５の（ａ）は、特定画像の他の例を示す図である。
【０２３４】
さらに、図２６の（ａ）は、表示部１０ａの画質調整対象画像が表示される領域に画質調整対象画像と特定画像とが同時に表示される具体的表示例を示す図であり、図２６の（ｂ）は、表示部１０ａの画質調整対象画像が表示される領域に画質調整対象画像と画質調整用画像として画質調整前の画像とが同時に表示される具体的表示例を示す図であり、図２７の（ａ）は、表示部１０ａの画質調整対象画像が表示される領域に画質調整対象画像と画質調整用画像として画質調整対象以外の画像の画質調整状態の画像とが同時に表示される表示例を示す図であり、図２７の（ｂ）は、表示部１０ａの画質調整対象画像が表示される領域に画質調整用画像として前述のプリセット値で画質調整された画像が表示される表示例を示す図である。
【０２３５】
図２４の（ａ）においては、画質調整対象画像（例えば、第１の画像）ＹＰが表示される表示部１０ａの表示領域の全領域に、画質調整の目安となる画質調整用画像が表示されている。例えば、画質調整用画像として、図２５の（ａ）に示すような放送終了後の帯画像のような特定画像ＳＰや、図２５の（ｂ）に示すような、画像を赤色成分（Ｒ）、緑色成分（Ｇ）、および青色成分（Ｂ）からなる三原色の色成分に分割し、各色成分に関する画質の補正処理を行えるように、三原色の各単色の図形を含む特定画像が使用される。なお、特定画像は、表示例に示したものに限定されず適宜変更可能（例えば、図１７の参照番号４７に示す図等）である。
【０２３６】
ここで、図２５の（ａ）に示すような特定画像を表示する場合、前述のような画質調整で、画質調整対象画像の画質調整を行うときに、特定画像を参考にしながら、画質調整対象画像の画質調整を容易に行うことができる。また一方で、図２５の（ｂ）に示すような特定画像を表示する場合、前述のような画質調整で画像における三原色の各色成分に関する調整を高精度に行うことが可能になる。
【０２３７】
なお、特定画像の表示開示時点の画質は、デフォルト値、画質調整対象画像の画質、画質調整対象以外の画像の画質、前述のプリセット値の画質等、適宜変更可能である。
【０２３８】
特に、図２５の（ｂ）においては、赤色成分（Ｒ）、緑色成分（Ｇ）、および青色成分（Ｂ）の横に書かれている四角が画質調整設定値を示す図であり、三角の右隣の四角が三原色の各色で描画された画質調整用画像に対応している。
【０２３９】
また一方で、図２４の（ｂ）においては、表示部１０ａの画質調整対象画像が表示される領域に画質調整対象画像と画質調整用画像とが同時に表示されており、これらの２種類の画像を同時に表示する方法としては、図２６の（ａ）に示すように、画質調整対象画像の一部に画質調整用画像を表示してもかまわない。また一方で、画質調整用画像として、図２５の（ａ）、（ｂ）に示す特定画像を表示してもよいし、後述するように、画質調整対象以外の画像、画質調整対象画像と同内容の画像等、適宜変更可能である。この構成では、前述のような画質処理で画質調整用画像を参考にしながら、画質調整対象画像の画質調整を容易に行うことができる。
【０２４０】
図２６の（ａ）は、画質調整対象画像の一部に画質調整用画像を表示する具体例であり、ナビゲーション用の画像の一部に特定画像が表示されている。この構成では、前述のような画質処理で特定画像を参考にしながら、画質調整対象画像の画質調整を容易に行うことができる。
【０２４１】
なお、画質調整対象画像を参考にして、特定画像の画質を調整し、画質調整処理（操作）終了後に調整された画質を画質調整対象画像に反映させるようにしてもよいし、特定画像の一部に画質調整対象画像を表示してもよく、特定画像の表示開始時点の画質は、デフォルト値、画質調整対象画像の画質、画質調整対象以外の画像の画質、前述のプリセット値の画質等、適宜変更可能である。さらに、画質調整用画像として特定画像ではなく、後述するように、画質調整対象以外の画像、画質調整対象画像と同内容の画像等を表示してもよい。
【０２４２】
また一方で、図２６の（ｂ）のように、表示部１０ａの画質調整対象画像が表示される領域に画質調整対象画像と画質調整用画像として画質調整開始時点の画質の画質調整状態の画像とを同時に表示するようにしてもよい。好ましくは、画質調整対象画像と画質調整用画像とは同一内容であるが、画質調整用画像を画質調整対象以外の画像（画質は、画質調整開始時点の画質調整対象画像の画質）を表示してもよい。この構成では、画質調整開始時点の画質と比較しながら、画質調整対象画像の画質の調整を容易に行うことができる。前述のように、画質調整用画像の一部に画質調整対象画像を表示するようにしてもよい。
【０２４３】
また一方で、図２７の（ａ）に示すように、表示部１０ａの画質調整対象画像が表示される領域に画質調整対象画像と画質調整用画像として画質調整対象以外の画像の画質調整状態の画像とを同時に表示するようにしてもよい。この例では、画質調整対象画像が表示される表示領域Ｓ１の半分の領域が、画質調整対象画像の画質調整状態に設定され、前述の調整操作により画質が変化する。また一方で、表示領域Ｓ１の他の半分の領域が、画質調整対象以外の画像の画質調整状態に設定される。この設定は、画質調整対象画像に対応する画質調整回路への画像データの書込処理および画質調整設定値を対応する値とすることにより実現できる。好ましくは、表示領域Ｓ１の半分の領域に表示される表示画像ＩＯ−Ｄと、表示領域の他の半分の領域に表示される表示画像ＩＯ−Ｐとは同一内容であるが、画質調整用画像として画質調整対象以外の画像（画質は、画質調整対象以外の画像の画質）を表示してもよい。この構成では、画質調整対象以外の画像の画質を参考にしながら、画質調整対象画像の画質の調整を容易に行うことができると共に、前述の複写操作の参考にすることができる。
【０２４４】
なお、画質調整対象画像の画質と、画質調整用画像の画質のどちらを調整するか選択可能にし、画質調整用画像の画質を調整した場合には、画質調整完了後、画質調整対象画像の画質に反映させるようにしてもよい。
【０２４５】
図２７の（ｂ）においては、表示部１０ａの画質調整対象画像が表示される領域を分割（例えば、図２７の（ｂ）に示すように、４つの画質調整用領域ＰＲ−１、ＰＲ−２、ＰＲ−３およびＰＲ−４に分割）し、各領域に前述のプリセット値で調整された画質調整用画像を複数表示している。これも画質調整対象画像に対応する画質調整回路への画像データの書込処理および画質調整設定値を調整することにより実現できる。
【０２４６】
なお、ここでは、複数の画質調整画像は、同一内容（画質調整対象画像の内容）であるが、前述のように異なっていてもよい。
【０２４７】
この例によれば、複数のプリセット値で調整された画質調整用画像を表示しているので、各画質調整状態を比較することができ、画質選択の際、参考にすることができる。
【０２４８】
なお、分割数は４つには限定されない。また一方で、１つの分割領域に画質調整対象画像の画質で調整された画像を表示するようにしてもよい。さらに、画質調整用画像は、前述の特定画像であってもよい。さらに、各領域は、画質調整設定値登録読出部に対応していてもよいし、そうでなくてもよい。全てのプリセット値に対応する画質調整用画像が、画質調整用画像が表示される領域に表示しきれない場合は、ユーザ（利用者）からの操作指示や、所定時間毎に順次読み出されるように構成してもよい。さらに、表示可能なプリセット値は、画質調整対象画像に対応するプリセット値および画質調整対象以外の画像に対応するプリセット値であってもよい。
【０２４９】
なお、前述のように、図２２のステップＳ２２ａは削除可能であるため、前述のような画質調整用画像は表示されなくてもよい。
【０２５０】
さらに、画質調整対象以外の画像が表示される領域に、前述の画質調整用画像や、画質調整対象画像の画質が確認できる画像（例えば、画質調整対象画像が表示されている領域に表示されている画像と同内容の（同画質）の画像、画質調整対象画像の画質で調整された画質調整対象以外の画像等）を表示するように構成してもよい。この構成によれば、他方の画質調整状態を参考にして、後で画質調整（複写等も含む）が容易に行える。
【０２５１】
図２８〜図３２は、図２２および図２３に示すＣＰＵ７ａの画質調整処理の変形例を示す図のその１〜その５である。
【０２５２】
より詳しくいえば、図２８は、画質調整設定値に上限、下限が設けられた画質調整処理の一例を説明するためのフローチャートであり、図２９は、図２８の第１の変形例を説明するためのフローチャートであり、図３０は、図２８の第２の変形例を説明するためのフローチャートであり、図３１は、図２８の第３の変形例を説明するためのフローチャートである。さらに、図３２の（ａ）は、調整された画質調整設定値を画質設定情報記憶部６７および対環境調整保持部６８に保持する処理を説明するためのフローチャートであり、図３２の（ｂ）は、画質設定情報記憶部６７および対環境調整保持部６８の画質調整設定値の保持例を示す図であり、図２２および図２３の画質調整処理に適宜追加可能である。
【０２５３】
以下、図２８〜図３２の各々の画質調整処理について説明する。本処理では、画質調整設定値の調整可能範囲（適正範囲）が予め設定されているものとする。
【０２５４】
まず、図２８を参照しながら、図２８の画質調整処理について説明する。
ステップＳ２４ａでは、図２２（ステップＳ２２ｓ）の画質調整処理で調整された画質調整設定値が、予め設定された調整可能範囲（適正範囲）内か否かを判定し、適正範囲内であれば処理を終了し、適正範囲外であればステップＳ２４ｂに進む。
【０２５５】
ステップＳ２４ｂでは、調整された画質調整設定値が適正範囲外であることを報知するために、対応する各構成に指示を出力して図２２のステップＳ２２ｂに戻る。
【０２５６】
つまり、本処理では、調整された画質調整設定値が適正範囲外である場合、画質調整処理が完了されないようにすると共に、画質調整設定値が適正範囲内におさまるように、調整を促す。
【０２５７】
次に、図２９を参照しながら、図２９の画質調整処理について説明する。
ステップＳ２４ｃでは、図２２の画質調整処理で調整された画質調整設定値が、予め設定された調整可能範囲（適正範囲）内か否かを判定し、適正範囲内であれば処理を終了し、適正範囲外であればステップＳ２４ｄに進む。
【０２５８】
ステップＳ２４ｄでは、調整された画質調整設定値を調整可能範囲の上限または下限に調整し、対応する画質調整状態記憶部６３に書き込むと共に、調整可能範囲の上限または下限に対応する画質調整指示を、対応する画質調整回路に出力して処理を終了する。
【０２５９】
つまり、本処理では、調整された画質調整設定値が適正範囲外である場合、画質調整処理が完了されないようにすると共に、調整可能範囲の上限または下限の画質に設定する。
【０２６０】
次に、図３０を参照しながら、図３０の画質調整処理について説明する。
ステップＳ２４ｅでは、図２２（ステップＳ２２ｄ、ステップＳ２２ｆ、ステップＳ２２ｈ、およびステップＳ２２ｊ）および図２３（ステップＳ２２ｌ、ステップＳ２２ｎ、ステップＳ２２ｐ、ステップＳ２２ｑ、およびステップＳ２２ｒ）の画質調整処理で調整された画質調整設定値が、予め設定された調整可能範囲（適正範囲）内か否かを判定し、適正範囲内であればステップＳ２２ｓに進み、適正範囲外であればステップＳ２４ｆに進む。
【０２６１】
ステップＳ２４ｆでは、調整された画質調整設定値が適正範囲外であることを報知するために、対応する各構成に指示を出力して図２２のステップＳ２２ｂに戻る。
【０２６２】
つまり、本処理では、調整された画質調整設定値が適正範囲外である場合、画質調整処理が完了されないようにすると共に、画質調整設定値が適正範囲内におさまるように、調整を促す。
【０２６３】
次に、図３１を参照しながら、図３１の画質調整処理について説明する。
ステップＳ２４ｇでは、図２２（ステップＳ２２ｄ、ステップＳ２２ｆ、ステップＳ２２ｈ、およびステップＳ２２ｊ）および図２３（ステップＳ２２ｌ、ステップＳ２２ｎ、ステップＳ２２ｐ、ステップＳ２２ｑ、およびステップＳ２２ｒ）の画質調整処理で調整された画質調整設定値が、予め設定された調整可能範囲（適正範囲）内か否かを判定し、適正範囲内であればステップＳ２２ｓに進み、適正範囲外であればステップＳ２４ｈに進む。
【０２６４】
ステップＳ２４ｈでは、調整された画質調整設定値を調整可能範囲の上限または下限に調整し、対応する画質調整状態記憶部６３に書き込むと共に、調整可能範囲の上限または下限に対応する画質調整指示を、対応する画質調整回路に出力して図２２のステップＳ２２ｂに戻る。
【０２６５】
つまり、本処理では、調整された画質調整設定値が適正範囲外である場合、画質調整処理が完了されないようにすると共に、調整可能範囲の上限または下限の画質に設定する。なお、調整可能範囲は、固定値でもよいし、前述の周囲環境センサの検出結果に基づいて設定されてもよい。
【０２６６】
次に、図３２の（ａ）、（ｂ）を用いて、図２２の画質調整処理で調整された画質調整設定値の画質設定情報記憶部６７および対環境調整保持部６８への記憶処理について説明する。
【０２６７】
図３２の（ａ）のステップＳ２４ｉでは、図２２の画質調整処理で調整された画質調整設定値を、図３２の（ｂ）で示すフォーマット図のように画質設定情報記憶部６７および対環境調整保持部６８に書き込み、処理を終了する。
【０２６８】
なお、図３２の（ｂ）は、図２２の画質調整処理で調整された画質調整設定値を保持するための記憶例を示すものである。この場合の記憶方法に関していえば、画質調整設定値と他の項目（例えば、環境値、頻度等）の少なくとも１つとが対になって記憶されればよい。
本処理で記憶された画質調整設定値は、後述する起動時や環境変化検出時の画質調整処理で適用される。
【０２６９】
図３３は、ＣＰＵ７ａの環境変化に応じた画像調整処理を説明するためのフローチャートである。本フローチャートは、マルチビュー表示装置の電源ＯＮ時（すなわち、マルチビュー表示装置の電源が投入されたとき）（あるいは、シングルビュー表示からマルチビュー表示に切り替わったとき）、またはマルチビュー表示が行われているときに定期的に実行する。
【０２７０】
まず、ステップＳ２５ａにおいて、周囲環境センサ１７からの周囲環境を検出し、ステップＳ２５ｂに進む。なお、前述したように、周囲環境センサ１７は、運転席側および助手席側の周囲環境を共通に検出するためのものであってもよいし、運転席側および助手席側の周囲環境を別々に検出するように複数設けられてもよい。
【０２７１】
ステップＳ２５ｂでは、周囲環境センサ１７からの検出結果に応じて、対環境調整値保持部６８に記憶されている調整値に基づいて第１の画面ＲＡＭおよび第２の画面ＲＡＭ６５の画質調整設定値を調整すると共に、調整された画質調整設定値に対応する画質調整指示を、各画質調整回路に出力して処理を終了する。この処理によれば、周囲環境センサ１７による検出結果に応じて、両画像（第１の画像および第２の画像）の調整が行えるので、各画像に対して影響を及ぼす周囲環境に対する画質の調整が自動的にまとめて行える。
【０２７２】
なお、周囲環境の変化量を検出して画像調整を行ってもよい。また一方で、対環境調整値保持部６８には、調整値として、環境に応じた画質調整設定値が記憶されてもよいし、環境の変化量に応じた調整量が記憶されてもよい。この場合、調整値は、予めメーカ側で記憶された固定値であってもよいし、前述の図３２の（ａ）、（ｂ）で説明したような処理で記憶された画質調整設定値であってもよい。さらに、各領域毎に、調整値が記憶されていてもよい。
【０２７３】
なお、周囲環境センサ１７が運転席側および助手席側の周囲環境を共通に検出するためのものである場合には、周囲環境センサによる検出結果に応じた全表示領域の同じ方向への画質調整、または同じ画質への調整が統合して行えるので、各画像に対して共通して影響を及ぼす周囲環境の変化に対する画質の調整が自動的にまとめて行え、運転席側および助手席側の周囲環境をそれぞれ別々に検出するように複数設けられている場合には、運転席側および助手席側の各座席で異なる影響を与える周囲環境の変化に応じて画質の調整が自動的に適切に行われるようになる。このような構成では、周囲環境の変化に応じて適切な画質を設定することができる。さらに、周囲環境の変化が急激に起こった場合でも、例えばトンネルや夜間環境等の周囲環境の顕著な変化に応じた各画像の画質調整を迅速に行うことができるようになる。
【０２７４】
図３４は、ＣＰＵ７ａの起動時の画像調整処理を説明するためのフローチャートである。本フローチャートは、マルチビュー表示装置の電源ＯＮ時（あるいは、シングルビュー表示からマルチビュー表示に切り替わったとき）に実行する。
【０２７５】
まず、ステップＳ２６ａにおいて、起動時の初期設定等の処理を行い、ステップＳ２６ｂに進む。ステップＳ２６ｂでは、画質調整状態記憶部６３（第１の画面ＲＡＭ６４および第１の画面ＲＡＭ６５）に後述する所定の画質調整設定値を書き込み、書き込まれた画質調整設定値に対応する画質調整指示を、対応する画質調整回路に出力して処理を終了する。本処理では、マルチビュー表示装置の電源ＯＮ時（あるいは、シングルビュー表示からマルチビュー表示に切り替わったとき）に各画像が所定の画質に設定されるので、画質調整のための手間を省くことが可能になる。
【０２７６】
次に、前述の所定の画質調整設定値を説明する。所定の画質調整設定値としては、例えば、予めメーカが画質設定情報記憶部６７（初期画質調整設定値記憶部）に予め記憶させている初期画質調整設定値、前述の図３２の（ａ）、（ｂ）で説明したような、ユーザが画質設定情報記憶部６７（初期画質調整設定値記憶部）に記憶させた画質調整設定値のうちの所定条件に合致する画質調整設定値、マルチビュー表示装置の電源ＯＮ時（あるいは、シングルビュー表示からマルチビュー表示に切り替わったとき）の画質調整設定値（ラストメモリともよばれる）、後述するようなマルチビュー表示装置の電源ＯＦＦ時（すなわち、マルチビュー表示装置の電源が切断されたとき）（あるいは、マルチビュー表示からシングルビュー表示に切り替わったとき）に画質設定情報記憶部６７（初期画質調整設定値記憶部）に記憶された画質調整設定値のうちの所定条件に合致する画質調整設定値が挙げられる。
【０２７７】
前述の所定の画質調整設定値が、予めメーカが画質設定情報記憶部６７（初期画質調整設定値記憶部）に予め記憶させている初期画質調整設定値である場合には、画質設定情報記憶部６７（初期画質調整設定値記憶部）に予め記憶させている初期画質調整設定値により第１および第２の画像の画質調整を行うようにしているので、各々の画像の画質の初期画質調整状態が自動的に選択され、画質調整のための操作の手間を省くことが可能になる。
【０２７８】
また一方で、前述の所定の画質調整設定値が、マルチビュー表示装置の電源ＯＮ時（あるいは、シングルビュー表示からマルチビュー表示に切り替わったとき）の画質調整設定値である場合には、マルチビュー表示装置の電源ＯＮ時（あるいは、シングルビュー表示からマルチビュー表示に切り替わったとき）の画質調整状態記憶部６３（第１の画面ＲＡＭ６４および第１の画面ＲＡＭ６５）の画質調整設定値を、一旦画質設定情報記憶部６７（初期画質調整設定値記憶部）に記憶させ、起動時に記憶させておいた画質調整設定値を読み出し、第１の画面ＲＡＭ６４および第１の画面ＲＡＭ６５に書き込むようにしてもよいし、マルチビュー表示装置の電源ＯＦＦ時（あるいは、マルチビュー表示からシングルビュー表示に切り替わったとき）の第１の画面ＲＡＭ６４および第１の画面ＲＡＭ６５に設定されている画質調整設定値が消去されないように保持し続けるような構成（この場合、前述の書込処理は不要になる）であってもよい。このような構成では、マルチビュー表示装置の電源ＯＦＦ直前（あるいは、マルチビュー表示からシングルビュー表示に切り替わる直前）に使用されていた画質に設定されるので、継続して使用する可能性が高い画質の調整状態を選択することができるようになり、画質調整のための操作の手間を省くことが可能になる。
【０２７９】
さらに、前述の所定の画質調整設定値が、前述の図３２の（ａ）、（ｂ）で説明したような、ユーザが画質設定情報記憶部６７（初期画質調整設定値記憶部）に記憶させた画質調整設定値のうちの所定条件に合致する画質調整設定値や、後述するようなマルチビュー表示装置の電源ＯＦＦ時（あるいは、マルチビュー表示からシングルビュー表示に切り替わったとき）に画質設定情報記憶部６７（初期画質調整設定値記憶部）に記憶された画質調整設定値のうちの所定条件に合致する画質調整設定値である場合には、マルチビュー表示装置の電源ＯＮ時（あるいは、シングルビュー表示からマルチビュー表示に切り替わったとき）に周囲環境、頻度、ラストソース等の少なくとも１つを条件に使用する可能性が高い画質調整設定値が設定されるので、使用の可能性が高い画質の調整状態を選択することができるようになる。
【０２８０】
図３５は、マルチビュー表示装置の電源ＯＦＦ時（イグニッションオフ時）（あるいは、マルチビュー表示からシングルビュー表示に切り替わったとき）の画質調整設定値の記憶処理を説明するためのフローチャートである。
【０２８１】
本フローチャートは、ＣＰＵ７ａが入力部２６等からのマルチビュー表示装置の電源ＯＦＦ指示（イグニッションオフ指示）（あるいは、マルチビュー表示→シングルビュー表示切替指示）を検出したときに実行する。つまり、ユーザ（利用者）が、表示装置の電源ＯＦＦ、イグニッションオフやマルチビュー表示→シングルビュー表示に切り替わったときに上記処理が実行される。なお、本フローチャートは、図３２の（ａ）、（ｂ）とは処理が実行されるタイミングが異なるだけである。
【０２８２】
ステップＳ２７ａでは、表示装置の電源ＯＦＦ（イグニッションオフ）（あるいは、マルチビュー表示→シングルビュー表示に切り替わったとき）の時点の画質調整設定値を画質設定情報記憶部６７および対環境調整値保持部６８に記憶し、処理を終了する。なお、画質調整設定値の記憶方法に関していえば、前述の図３２の（ｂ）に示すような形態で記憶される。図３２の（ｂ）の場合と同様に、画質調整設定値と他の項目の少なくとも１つとが対になって記憶されればよい。このような構成では、周囲環境等に応じてユーザが調整した（満足している）画質調整設定値が記憶されているため、記憶された画質調整設定値を前述の図３３および図３４の処理に適用することにより、次回からの画質調整がより適切に行われることになる。
【０２８３】
前述の図２２〜図３５に示す処理は、適宜組み合わせて使用することが可能であることはいうまでもない。
【０２８４】
なお、前述の図１９のマルチビュー表示装置のＣＰＵ７ａにより、前述のようにプログラム記憶部６９に格納されているプログラムを読み出し、またはＣＰＵ７ａに内蔵のＲＯＭやＲＡＭ等に格納されているプログラムを用いて、前述の画像表示処理および画質調整処理を実行させることが可能である。
【０２８５】
より具体的にいえば、前述の図１９のプログラム記憶部６９またはＣＰＵ７ａに内蔵のＲＯＭやＲＡＭ等に格納されているプログラムは、第１の方向から観察できる第１の表示領域に表示される画像（第１の画像）と、第２の方向から観察できる第２の表示領域に表示される画像（第２の画像）とを同時に表示することが可能な表示装置において、第１の画像の画質の調整を行う第１の画質調整処理と、第２の画像の画質の調整を行う第２の画質調整処理とを含む。
【０２８６】
好ましくは、前述の図１９のプログラム記憶部６９またはＣＰＵ７ａに内蔵のＲＯＭやＲＡＭ等に格納されているプログラムは、同表示装置において、第１の表示領域に表示される画像（第１の画像）に対する画質調整操作に対して、第１の画像の画質の調整値を記憶する第１画質調整値記憶部の調整値を書き替える処理と、第２の表示領域に表示される画像（第２の画像）に対する画質調整操作に対して、第２の画像の画質の調整値を記憶する第２画質調整値記憶部の調整値を書き替える処理と、第１画質調整値記憶部の調整値に基づき第１の画像の画質を調整する処理と、第２画質調整値記憶部の調整値に基づき第２の画像の画質を調整する処理とを含む。
【０２８７】
なお、前述の図１９の実施形態では、マルチビュー表示を行わせるために、１層構成または２層構成の複数の透光性スリット部を有する光学系分離素子を用いた場合について説明したが、この例に限らず、光学系分離素子の代わりに液晶表示パネルのような液晶層を有し、この液晶層に印加される電界の強さに応じて複数の垂直なスリットが形成されるスリット形成部を用いてもよい（例えば、後述の図３６および図３７を参照のこと）。この場合、マルチビュー表示の場合には、複数の垂直なスリットを出現させ、各方向で同じ画像を見ることができるシングルビュー表示の場合には複数の垂直なスリットを消すようにすればよい。
【０２８８】
図３６は、本発明の第４の実施形態に係るマルチビュー表示装置の概略構成を示すブロック図であり、図３７は、図３６の表示部の断面形状を概略的に示す図である。
【０２８９】
ここでは、前述の図１９の実施形態の場合と同様に、個々に画質の調整がなされた画像ソースからの２種類の画像データをＶＲＡＭ７３に書き込むことにより、互いに独立した２種類の画像を同一のマルチビュー表示パネル１１ａの画面に同時に表示するような車載用のマルチビュー表示装置の構成を簡略化して示す。
【０２９０】
図３６の第４の実施形態に係るマルチビュー表示装置においては、前述の図１９の第３の実施形態の場合と同様に、車両の運転席および助手席に対してマルチビュー表示を行わせるための表示部１０ａが設けられている。図３６の表示部１０ａでは、前述の図１９の第３の実施形態の場合と異なり、液晶表示パネル１１ａの表面側に、光学系分離素子１３ａの代わりに液晶シャッタ１４ａが形成されている。具体的には、図３６の表示部１０ａは、液晶表示パネル１１ａの表面側に液晶シャッタ１４ａが設けられてマルチビュー表示パネル２０が形成され、さらにその前面にタッチパネル１２ａが形成された構造となっている。図３６のマルチビュー表示装置のその他の構成は、前述の図１９の第３の実施形態の構成と同じである。したがって、ここでは、図３６および図３７の表示部１０ａ以外の構成要素に関する詳細な説明を省略する。
【０２９１】
図３７に示すように、タッチパネル１２ａは、前述の図１９のタッチパネルと同様に、可撓性を有する一対の透明絶縁基板１２０ａ、１２８ａ、上記一対の透明絶縁基板上に形成された透明電極１２２ａ、１２６ａ、および上記透明電極上にマトリックス状に配置されたドットスペーサ１２４ａ等から構成される。
【０２９２】
図３７の液晶表示パネル１１ａは、前述の図１９のマルチビュー表示パネルと同様に、液晶表示パネルにより構成されており、縦方向に複数の帯状部の表示領域に分割され、運転席から観察される第１の画像が表示される第１の表示領域１１０ａと、助手席から観察される第２の画像が表示される第２の表示領域１１２ａとが交互に形成されている。前述のように、液晶表示パネル１１ａの表面側に液晶シャッタ１４ａが配置されてマルチビュー表示パネル２０が形成される。そして、液晶表示パネル１１ａの表示素子は、表示パネル駆動回路７４により駆動制御される。
【０２９３】
液晶シャッタ１４ａは、運転席から観察される第１の画像と、助手席から観察される第２の画像とを所定の視野角で分離してマルチビュー表示を行わせる機能を有している。より詳しくいえば、液晶シャッタ１４ａは、２枚の透明ガラス基板１４１、１４５と、これらの透明ガラス基板１４１、１４５間に封入された液晶１４３と、透明ガラス基板１４１の下面側および透明ガラス基板１４５の上面側に配置された偏光板１４０、１４６とを有する。
【０２９４】
透明ガラス基板１４１の液晶１４３側の面には、ＩＴＯ（Indium-Tin Oxide：インジウム酸化錫）等からなる透明電極１４２が形成されている。また一方で、透明ガラス基板１４５の液晶１４３側の透明電極１４２と対向する面には、ＩＴＯ等からなる透明電極１４４が形成されている。これらの相対向する透明電極１４２、１４４と、これらの透明電極１４２、１４４間の液晶１４３とにより、液晶シャッタ１４ａの主要部が構成される。
【０２９５】
透明電極１４２、１４４は、ＣＰＵ７ａ（図２８参照）に接続されており、このＣＰＵ７ａから、液晶シャッタ１４ａを駆動するための駆動信号が供給される。このような構成の液晶シャッタ１４ａにおいて、一方の透明電極１４２と他方の透明電極１４４との間に、上記駆動信号による電圧が印加されていない状態では、液晶表示パネル１１ａを通過した光は、例えばクロスニコルの状態に配置されている２枚の偏光板を通過して運転席および助手席の両方に到達する。
【０２９６】
また一方で、一方の透明電極１４２と他方の透明電極１４４との間に所定の電圧が印加された場合、一方の透明電極１４２と他方の透明電極１４４との間の液晶１４３の向きが変化し、これらの透明電極１４２、１４４間の領域では、光が遮断される。この結果、運転席を含む第１視野領域内の第１の乗員（例えば、運転者）１７１は、液晶シャッタ１４ａの作用によって、第１の表示領域１１０ａの集合体としての画像のみを運転席用の第１の画像として視認することができ、助手席を含む第２視野領域内の第２の乗員（例えば、助手席の乗員）１７２は、液晶シャッタ１４ａの作用によって、第２の表示領域１１２ａの集合体としての画像のみを助手席用の第２の画像として視認することができる。このように実際は、１つの画面を縦方向に複数分割した１つおきの画像を視認することとなるが、１つの表示領域の幅を非常に狭くすることによって、運転席側からも、助手席側からも別々の画像をそれぞれ同時に視認することが可能になる。
【０２９７】
この構成の場合、第１の画質調整回路６１および第２の画質調整回路６２（いずれも図３６参照）は、一方の透明電極１４２と他方の透明電極１４４との間に印加される電圧の大きさを変化させて液晶シャッタ１４ａの透過率を制御することにより、第１の画像および第２の画像の各々の画質の補正処理（第１の画像および第２の画像の同じ方向への画質調整や、第１の画像および第２の画像が同画質の場合の画質調整等）を行うことも可能である。
【産業上の利用可能性】
【０２９８】
本発明は、平面パネル型の液晶表示装置に限らず、ブラウン管形の表示装置に適用することが可能である。また一方で、平面パネル型としては、液晶表示パネルに限らず、プラズマ・ディスプレイ・パネルや、有機ＥＬ（Electronic Luminescence）ディスプレイ・パネルにも適用することが可能である。また一方で、本発明は、カーナビゲーションに限らず、マルチビュー表示が可能な表示部を搭載している機器であればよく、携帯電話、ＰＤＡ（Personal Digital Assistants：個人向け携帯型情報通信機器）、パーソナルコンピュータ、テレビ受信機等の身近な機器に限らず、計測機器、医療機器、産業機器全般等にも適用可能である。さらに、本発明は、２次元（２Ｄ）表示に限らず、一人の視聴者の両眼にそれぞれ異なる画像が見えるようにすることで、立体像を表示させることができる３次元（３Ｄ）表示にも適用することが可能である。
【図面の簡単な説明】
【０２９９】
【図１】本発明に係る表示装置の概念図である。
【図２】表示装置の搭載例を示す斜視図である。
【図３】表示部の断面構造の概略図である。
【図４】表示パネルを正面から見た構造の概略図である。
【図５】ＴＦＴ基板の概略を示す回路図である。
【図６】本発明に係る表示装置の概略を示すブロック図である。
【図７】画像出力部２１１の概略を示すブロック図である。
【図８】制御部２００の概略を示すブロック図である。
【図９】メモリ２１８の概略を示すブロック図である。
【図１０】本発明の第１の実施形態に係るマルチビュー表示装置の概略構成を示すブロック図である。
【図１１】表示パネルにおける表示例を示す図である。
【図１２】図１０の具体例に係るマルチビュー表示装置の概略構成を示すブロック図である。
【図１３】図１２のＣＰＵ１９の画質調整処理を説明するためのフローチャートである。
【図１４】本発明の第２の実施形態に係るマルチビュー表示装置の概略構成を示すブロック図である。
【図１５】画像サイズの異なる画像が表示されている例を示す図である。
【図１６】図１４のＣＰＵ５４の画質調整処理および画像サイズ調整処理を説明するためのフローチャートである。
【図１７】表示パネルにおける表示例を示す図である。
【図１８】図１４に示す装置の動作説明のためのタイミングチャートである。
【図１９】本発明の第３の実施形態に係るマルチビュー表示装置の概略構成を示すブロック図である。
【図２０】図１９の表示部の断面形状を概略的に示す図である。
【図２１】２種類の画像データをＶＲＡＭに書き込む様子を示す模式図である。
【図２２】ＣＰＵ７ａの画質調整処理を説明するためのフローチャート（その１）である。
【図２３】ＣＰＵ７ａの画質調整処理を説明するためのフローチャート（その２）である。
【図２４】画質調整用画像の表示例を示す図（その１）である。
【図２５】画質調整用画像の表示例を示す図（その２）である。
【図２６】画質調整用画像の表示例を示す図（その３）である。
【図２７】画質調整用画像の表示例を示す図（その４）である。
【図２８】図２２および図２３に示すＣＰＵ７ａの画質調整処理の変形例を示す図（その１）である。
【図２９】図２２および図２３に示すＣＰＵ７ａの画質調整処理の変形例を示す図（その２）である。
【図３０】図２２および図２３に示すＣＰＵ７ａの画質調整処理の変形例を示す図（その３）である。
【図３１】図２２および図２３に示すＣＰＵ７ａの画質調整処理の変形例を示す図（その４）である。
【図３２】図２２および図２３に示すＣＰＵ７ａの画質調整処理の変形例を示す図（その５）である。
【図３３】環境変化に応じた画質調整処理を説明するためのフローチャートである。
【図３４】起動時の画質調整処理を説明するためのフローチャートである。
【図３５】画質調整設定値の記憶処理を説明するためのフローチャートである。
【図３６】本発明の第４の実施形態に係るマルチビュー表示装置の概略構成を示すブロック図である。
【図３７】図３６の表示部の断面形状を概略的に示す図である。
【符号の説明】
【０３００】
１    第１の画像ソース
２    第２の画像ソース
３    第１の画像データ
４    第２の画像データ
４ｐ    表示パネル駆動部
５    表示制御部
６    表示データ
６ｅ    外部入力装置
７    表示部
７ａ    ＣＰＵ
８    第１の表示画像
９    第２の表示画像
１０a    表示部
１１a    液晶表示パネル
１２a    タッチパネル
１３a    光学系分離素子
１４a    液晶シャッタ
１５    操作部
１６    スピーカ
１６ａ    各種のセンサ
１７    周囲環境センサ
２０    マルチビュー表示パネル
２６    入力部
２７    操作部
２８    選択部
４０    表示パネル駆動部
４１    画質調整回路
４２    画質調整回路
４３    表示パネル駆動回路
４５    マルチビュー表示パネル
５０    表示パネル駆動部
５１    画質調整回路
５２    画像サイズ調整回路
５３    表示パネル駆動回路
５４    ＣＰＵ
５５    設定値表示回路
５６    メモリ
６０    分配回路
６１    第１の画質調整回路
６２    第２の画質調整回路
６３    画質調整状態記憶部
６４    第１の画面ＲＡＭ
６５    第２の画面ＲＡＭ
６６    プリセットＲＡＭ
６７    画質設定情報記憶部
６８    プリセット調整値保持部
６９    プログラム記憶部
７１    第１の書込回路
７２    第２の書込回路
７３    ＶＲＡＭ
７４    表示パネル駆動回路
８１    第１の音量・音質調整回路
８２    第２の音量・音質調整回路
８３    分配回路
９１    第１のスピーカ
９２    第２のスピーカ
９３    ヘッドホン
１００    液晶パネル
１０４    ＴＦＴ基板
１０５    液晶層
１０６    カラーフィルタ基板
１０７    ガラス基板
１０８    視差バリア
１０９    左側（助手席側）表示用の画素
１１０    右側（運転席側）表示用の画素
１１１    表示部駆動部
１１２    走査線駆動回路
１１３    データ線駆動回路
１１４    ＴＦＴ素子
１２４    タッチパネル
２００    制御部
２０６    ナビゲーション部
２０７    分配回路
２０８    第１の画質調整回路
２０９    第２の画質調整回路
２１０    音声調整回路
２１１    画像出力部
【図１】
2007041490.tif 000003
【図２】
2007041490.tif 000004
【図３】
2007041490.tif 000005
【図４】
2007041490.tif 000006
【図５】
2007041490.tif 000007
【図６】
2007041490.tif 000008
【図７】
2007041490.tif 000009
【図８】
2007041490.tif 000010
【図９】
2007041490.tif 000011
【図１０】
2007041490.tif 000012
【図１１】
2007041490.tif 000013
【図１２】
2007041490.tif 000014
【図１３】
2007041490.tif 000015
【図１４】
2007041490.tif 000016
【図１５】
2007041490.tif 000017
【図１６】
2007041490.tif 000018
【図１７】
2007041490.tif 000019
【図１８】
2007041490.tif 000020
【図１９】
2007041490.tif 000021
【図２０】
2007041490.tif 000022
【図２１】
2007041490.tif 000023
【図２２】
2007041490.tif 000024
【図２３】
2007041490.tif 000025
【図２４】
2007041490.tif 000026
【図２５】
2007041490.tif 000027
【図２６】
2007041490.tif 000028
【図２７】
2007041490.tif 000029
【図２８】
2007041490.tif 000030
【図２９】
2007041490.tif 000031
【図３０】
2007041490.tif 000032
【図３１】
2007041490.tif 000033
【図３２】
2007041490.tif 000034
【図３３】
2007041490.tif 000035
【図３４】
2007041490.tif 000036
【図３５】
2007041490.tif 000037
【図３６】
2007041490.tif 000038
【図３７】
2007041490.tif 000039